(57)【要約】本発明に係る基地局は、チャネル測定用参照信号の伝送が同期信号あるいは放送信号の伝送と衝突するサブフレームでは、該サブフレームであるいは該サブフレームのうち、前記同期信号あるいは前記放送信号を含むサブフレームあるいはリソースブロックでは、いかなるチャネル測定用参照信号も伝送しない。本発明に係るユーザー機器は、ＣＳＩ−ＲＳ伝送のために構成されたサブフレームでチャネル測定用参照信号の伝送が同期信号あるいは放送信号の伝送と衝突する場合に、前記サブフレームあるいはリソースブロックではいかなるチャネル測定用参照信号も伝送されないと仮定する。【選択図】図１８
2013524569.tif 000002
【特許請求の範囲】
【請求項１】
無線通信システムにおいてユーザー機器がチャネル測定用参照信号を受信する方法であって、
基地局から前記参照信号の伝送情報を受信し、
前記伝送情報に基づいて、前記参照信号の伝送のために構成されたサブフレームと前記参照信号の伝送に用いられる第１リソース要素を決定し、
前記サブフレームのうち少なくとも一つで前記参照信号を受信すること、を含み、
前記基地局が同期信号あるいは放送信号の伝送に用いる第２リソース要素と衝突する前記第１リソース要素が存在するサブフレームでは前記参照信号を受信しない、
参照信号受信方法。
【請求項２】
前記ユーザー機器は、前記第２リソース要素と衝突する前記第１リソース要素がないサブフレームで前記参照信号を受信し、該受信した参照信号に基づいてチャネル測定を行う、請求項１に記載の参照信号受信方法。
【請求項３】
前記伝送情報は、
前記参照信号の伝送に用いられるアンテナポートの個数を表す情報、前記第１リソース要素のリソースブロック内の位置を表す情報、前記参照信号の伝送周期及びサブフレームオフセットを表す情報のうち少なくとも一つを含む、請求項１または２に記載の参照信号受信方法。
【請求項４】
無線通信システムにおいてチャネル測定用参照信号を受信するユーザー機器であって、
基地局から前記参照信号の伝送情報を受信する受信器と、
前記受信器を制御するように構成されたプロセッサと、を備え、
前記プロセッサは、
前記伝送情報に基づいて、前記参照信号の伝送のために構成されたサブフレームと前記参照信号の伝送に用いられる第１リソース要素を決定し、
前記サブフレームのうち少なくとも一つで前記参照信号を受信するように前記受信器を制御し、
前記基地局が同期信号あるいは放送信号の伝送に用いる第２リソース要素と衝突する前記第１リソース要素が存在するサブフレームでは前記参照信号が伝送されないと判断する、ように構成された、ユーザー機器。
【請求項５】
前記プロセッサは、前記第２リソース要素と衝突する前記第１リソース要素がないサブフレームで前記参照信号を受信するように前記受信器を制御し、前記受信した参照信号に基づいてチャネル測定を行うように構成された、請求項４に記載のユーザー機器。
【請求項６】
前記伝送情報は、
前記参照信号の伝送に用いられるアンテナポートの個数を表す情報、前記第１リソース要素のリソースブロック内の位置を表す情報、前記参照信号の伝送周期及びサブフレームオフセットを表す情報のうち少なくとも一つを含む、請求項４または５に記載のユーザー機器。
【請求項７】
無線通信システムにおいて基地局がチャネル測定用参照信号を伝送する方法であって、
ユーザー機器に前記参照信号の伝送情報を伝送し、
前記伝送情報に基づいて、前記参照信号の伝送のために構成されたサブフレームのうち少なくとも一つで前記参照信号を伝送すること、を含み、
同期信号あるいは放送信号の伝送に用いる第２リソース要素と衝突する、前記参照信号の伝送のための第１リソース要素が存在するサブフレームでは、前記参照信号が伝送されない、参照信号伝送方法。
【請求項８】
前記伝送情報は、
前記参照信号の伝送に用いられるアンテナポートの個数を表す情報、前記第１リソース要素のリソースブロック内の位置を表す情報、前記参照信号の伝送周期及びサブフレームオフセットを表す情報のうち少なくとも一つを含む、
請求項７に記載の参照信号伝送方法。
【請求項９】
無線通信システムにおいてチャネル測定用参照信号を伝送する基地局であって、
送信器と、
ユーザー機器に前記参照信号の伝送情報を伝送するように前記送信器を制御し、前記伝送情報に基づいて、前記参照信号の伝送のために構成されたサブフレームのうち少なくとも一つで前記参照信号を伝送するように前記送信器を制御するように構成されたプロセッサと、を備え、
同期信号あるいは放送信号の伝送に使用する第２リソース要素と衝突する、前記参照信号の伝送のための第１リソース要素が存在するサブフレームでは、前記参照信号が伝送されない、基地局。
【請求項１０】
前記伝送情報は、
前記参照信号の伝送に用いられるアンテナポートの個数を表す情報、前記第１リソース要素のリソースブロック内の位置を表す情報、前記参照信号の伝送周期及びサブフレームオフセットを表す情報のうち少なくとも一つを含む、請求項９に記載の基地局。
【発明の詳細な説明】
【技術分野】
【０００１】
本発明は、無線通信システムに関する。特に、参照信号の伝送方法及び装置、参照信号の受信方法及び装置に関する。
【背景技術】
【０００２】
無線通信システムにおいて、送信装置は、無線周波数チャネルを通じて信号を伝送する。この場合、伝送される信号に予期せぬ歪が発生することがある。また、送信装置は、該伝送信号をプリコーディングし、プリコーディングされた信号を受信装置に伝送してもよい。受信装置が原本信号を效率的に受信／検出するためには、当該無線チャネルの状態に関する情報及び／または伝送信号への干渉に関する情報、伝送信号を復調するための情報などを必要とする。このような情報を用いて、受信装置は、伝送信号に生じた歪を修正し、より高正確度で原本信号を獲得することができる。
【０００３】
そのために、チャネル測定及び／または干渉測定用参照信号の適切な構成及び受信装置への伝送手法と、これらを用いた受信装置での正確な測定及び測定結果の送信装置への適切な伝送手法が定義されることが要求される。
【発明の概要】
【発明が解決しようとする課題】
【０００４】
本発明は、チャネル測定用参照信号を構成する方法及び装置、並びに該参照信号を伝送する方法及び装置を提供する。
【０００５】
また、本発明は、チャネル測定用参照信号を他の物理信号と共に構成する方法及び装置を提供する。
【０００６】
また、本発明は、チャネル測定用参照信号と共に他の物理信号を伝送する方法及び装置を提供する。
【０００７】
また、本発明は、チャネル測定用参照信号を受信してチャネル測定を行う方法及び装置を提供する。
【０００８】
また、本発明は、チャネル測定用参照信号に基づいて測定したチャネル情報を伝送する方法及び装置を提供する。
【０００９】
本発明で達成しようとする技術的課題は、以上に言及している技術的課題に制限されるものではなく、言及していない別の技術的課題は、下の記載から、本発明の属する技術の分野における通常の知識を有する者には明確に理解されるであろう。
【課題を解決するための手段】
【００１０】
本発明の一様相として、無線通信システムにおいてユーザー機器がチャネル測定用参照信号を受信する方法において、基地局から前記参照信号の伝送情報を受信し、前記伝送情報に基づいて、前記参照信号の伝送のために構成されたサブフレームと前記参照信号の伝送に用いられる第１リソース要素を決定し、前記サブフレームのうち少なくとも一つで前記参照信号を受信すること、を含み、前記基地局が同期信号あるいは放送信号の伝送に用いる第２リソース要素と衝突する前記第１リソース要素が存在するサブフレームでは前記参照信号を受信しない、参照信号受信方法が提供される。
【００１１】
本発明の他の様相として、無線通信システムにおいてチャネル測定用参照信号を受信するユーザー機器であって、基地局から前記参照信号の伝送情報を受信する受信器と、前記受信器を制御するように構成されたプロセッサと、を備え、前記プロセッサは、前記伝送情報に基づいて、前記参照信号の伝送のために構成されたサブフレームと前記参照信号の伝送に用いられる第１リソース要素を決定し、前記サブフレームのうち少なくとも一つで前記参照信号を受信するように前記受信器を制御し、前記基地局が同期信号あるいは放送信号の伝送に用いる第２リソース要素と衝突する前記第１リソース要素が存在するサブフレームでは前記参照信号が伝送されないと判断する、ように構成された、ユーザー機器が提供される。
【００１２】
本発明のさらに他の様相として、無線通信システムにおいて基地局がチャネル測定用参照信号を伝送する方法であって、ユーザー機器に前記参照信号の伝送情報を伝送し、前記伝送情報に基づいて、前記参照信号の伝送のために構成されたサブフレームのうち少なくとも一つで前記参照信号を伝送すること、を含み、同期信号あるいは放送信号の伝送に用いる第２リソース要素と衝突する、前記参照信号の伝送のための第１リソース要素が存在するサブフレームでは、前記参照信号が伝送されない、参照信号伝送方法が提供される。
【００１３】
本発明のさらに他の様相として、無線通信システムにおいてチャネル測定用参照信号を伝送する  基地局であって、送信器と、ユーザー機器に前記参照信号の伝送情報を伝送するように前記送信器を制御し、前記伝送情報に基づいて、前記参照信号の伝送のために構成されたサブフレームのうち少なくとも一つで前記参照信号を伝送するように前記送信器を制御するように構成されたプロセッサと、を備え、同期信号あるいは放送信号の伝送に使用する第２リソース要素と衝突する、前記参照信号の伝送のための第１リソース要素が存在するサブフレームでは、前記参照信号が伝送されない、基地局が提供される。
【００１４】
本発明の各様相において、前記ユーザー機器は、前記第２リソース要素と衝突する前記第１リソース要素がないサブフレームで前記参照信号を受信してチャネル測定を行うことができる。
【００１５】
本発明の各様相において、前記ユーザー機器は、前記一つ以上の参照信号に基づいてチャネル測定を行うことができる。
【００１６】
本発明の各様相において、前記伝送情報は、前記一つ以上の参照信号の伝送に用いられるアンテナポートの個数を表す情報、前記第１リソース要素のリソースブロック内の位置を表す情報、前記一つ以上の参照信号の伝送周期及びサブフレームオフセットを表す情報のうち少なくとも一つを含むことができる。
【００１７】
上記の課題解決手段は、本発明の実施例の一部に過ぎず、本願発明の技術的特徴が反映された様々な実施例が、当該技術の分野における通常の知識を有する者により、以下に詳述する本発明の詳細な説明から導出及び理解されるであろう。
【発明の効果】
【００１８】
本発明によれば、チャネル測定用参照信号が他の物理信号への影響を最小化しながらユーザー機器に伝送されるようにすることができる。
【００１９】
また、本発明によれば、チャネル測定用参照信号の伝送効率を向上させることができる。
【００２０】
また、本発明によれば、チャネル測定用参照信号に基づいてユーザー機器により行われるチャネル測定の正確度を高めることができる。
【００２１】
また、本発明によれば、ユーザー機器がチャネル情報を效率的に基地局にフィードバックすることができる。
【００２２】
本発明から得られる効果は、以上に言及した効果に制限されず、言及していない別の効果は、下の記載から、本発明の属する技術の分野における通常の知識を有する者には明確に理解されるであろう。
【図面の簡単な説明】
【００２３】
本発明に関する理解を助けるために詳細な説明の一部として含まれる添付の図面は、本発明の実施例を提供し、詳細な説明と共に本発明の技術的思想を説明する。
【図１】図１は、本発明を実行するユーザー機器（ＵＥ）及び基地局の構成要素を示すブロック図である。
【図２】図２は、ユーザー機器及び基地局内の送信器構造の一例を示す図である。
【図３】図３は、無線通信システムで用いられる無線フレーム構造の一例を示す図である。
【図４】図４は、無線通信システムにおいてＤＬ／ＵＬスロット構造の一例を示す図である。
【図５】図５は、無線通信システムにおいて、同期信号及び放送信号が伝送される例を示す図である。
【図６】図６は、無線通信システムにおいて、同期信号及び放送信号が伝送される例を示す図である。
【図７】図７は、無線通信システムにおいて、同期信号及び放送信号が伝送される例を示す図である。
【図８】図８は、無線通信システムにおいて、同期信号及び放送信号が伝送される例を示す図である。
【図９】図９は、参照信号伝送の概念図である。
【図１０】図１０は、参照信号伝送の概念図である。
【図１１】図１１は、セルラーベースの無線通信システムの概念を説明するための図である。
【図１２】図１２は、独立セル内で多重セクターを用いた無線通信システムの概念を説明するための図である。
【図１３】図１３は、ＣＳＩ−ＲＳ伝送例を示す図である。
【図１４】図１４は、ＣＳＩ−ＲＳパターンの例を示す図である。
【図１５】図１５は、ＣＳＩ−ＲＳパターンの例を示す図である。
【図１６】図１６は、ＣＳＩ−ＲＳパターンの例を示す図である。
【図１７】図１７は、ＣＳＩ−ＲＳが伝送されるリソースブロック対とＰＢＣＨ／ＰＳＳ／ＳＳＳが伝送されるリソースブロック対を例示する図である。
【図１８】図１８は、本発明の実施例３に係るＣＳＩ−ＲＳの伝送流れを示す図である。
【図１９】図１９は、ＲＥミューティングのためのＣＳＩ−ＲＳパターンが構成されたリソースブロック対とＰＢＣＨ／ＰＳＳ／ＳＳＳが伝送されるリソースブロック対を例示する図である。
【発明を実施するための形態】
【００２４】
以下、本発明に係る好適な実施の形態を、添付の図面を参照しつつ詳細に説明する。添付の図面と共に以下に開示される詳細な説明は、本発明の例示的な実施の形態を説明するためのもので、本発明が実施されうる唯一の実施の形態を示すためのものではない。以下の詳細な説明は、本発明の完全な理解を提供するために具体的な細部事項を含む。しかし、当業者には、本発明がそれらの具体的な細部事項無しにも実施可能であるということが理解される。
【００２５】
また、以下に説明される手法（ｔｅｃｈｎｉｑｕｅ）、装置及びシステムは、様々な無線多重接続システムに適用可能である。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）またはＣＤＭＡ２０００のような無線技術（ｔｅｃｈｎｏｌｏｇｙ）で具現可能である。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）、ＧＰＲＳ（Ｇｅｎｅｒａｌ  Ｐａｃｋｅｔ  Ｒａｄｉｏ  Ｓｅｒｖｉｃｅ）、ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）などのような無線技術で具現可能である。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（ｅｖｏｌｖｅｄ−ＵＴＲＡ）などのような無線技術で具現可能である。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部であり、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを用いるＥ−ＵＭＴＳの一部である。３ＧＰＰ  ＬＴＥは、ダウンリンクではＯＦＤＭＡを採択し、アップリンクではＳＣ−ＦＤＭＡを採択している。ＬＴＥ−Ａ（ＬＴＥ−ａｄｖａｎｃｅｄ）は、３ＧＰＰ  ＬＴＥの進展した形態である。説明の便宜のために、以下では、本発明が３ＧＰＰ  ＬＴＥ／ＬＴＥ−Ａに適用される場合を挙げて説明する。しかし、本発明の技術的特徴がそれに制限されるものではない。例えば、以下の詳細な説明は、移動通信システムが３ＧＰＰ  ＬＴＥ／ＬＴＥ−Ａシステムに対応する移動通信システムに基づいて説明されても、３ＧＰＰ  ＬＴＥ／ＬＴＥ−Ａに特有な事項を除けば、他の任意の移動通信システムにも適用可能である。
【００２６】
場合によっては、本発明の概念が曖昧になることを避けるために公知の構造及び装置を省略したり、各構造及び装置の核心機能を中心にしたブロック図の形式で示したりできる。また、本明細書全体を通じて同一の構成要素については同一の図面符号を付して説明する。
【００２７】
本発明において、ユーザー機器（ＵＥ：Ｕｓｅｒ  Ｅｑｕｉｐｍｅｎｔ）は、固定しても移動性を有してもよく、基地局と通信してユーザーデータ及び／または各種の制御情報を送受信する各種の機器に相当する。ユーザー機器は、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（ＳｕｂｓｃｒｉｂｅＳｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶこともできる。また、本発明において、基地局（Ｂａｓｅ  Ｓｔａｔｉｏｎ、ＢＳ）は、一般に、ユーザー機器及び／または他の基地局と通信する固定された地点（ｆｉｘｅｄ  ｓｔａｔｉｏｎ）のことを指し、ユーザー機器及び他の基地局と通信して各種データ及び制御情報を交換する。基地局は、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等の他の用語と呼ぶこともできる。
【００２８】
以下では、ＰＤＣＣＨ（Ｐｈｙｓｉｃａｌ  Ｄｏｗｎｌｉｎｋ  Ｃｏｎｔｒｏｌ  Ｃｈａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）／ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）／ＰＤＳＣＨ（Ｐｈｙｓｉｃａｌ  Ｄｏｗｎｌｉｎｋ  Ｓｈａｒｅｄ  Ｃｈａｎｎｅｌ）／ＤＲＳ（Ｄｅｄｉｃａｔｅｄ  Ｒｅｆｅｒｅｎｃｅ  Ｓｉｇｎａｌ）／ＣＲＳ（Ｃｏｍｍｏｎ  Ｒｅｆｅｒｅｎｃｅ  Ｓｉｇｎａｌ）／ＤＭＲＳ（ＤｅＭｏｄｕｌａｔｉｏｎ  Ｒｅｆｅｒｅｎｃｅ  Ｓｉｇｎａｌ）／ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース要素（Ｒｅｓｏｕｒｃｅ  Ｅｌｅｍｅｎｔ、ＲＥ）はそれぞれ、ＰＤＣＣＨ／ＰＣＦＩＣＨ／ＰＨＩＣＨ／ＰＤＳＣＨ／ＤＲＳ／ＣＲＳ／ＤＭＲＳ／ＣＳＩ−ＲＳに割当あるいは利用可能なＲＥを意味する。以下では、特に、参照信号が伝送されるリソース要素をＲＳＲＥと呼び、制御情報あるいはデータが伝送されるリソース要素をデータＲＥと呼ぶ。
【００２９】
また、以下では、ＤＲＳ／ＣＲＳ／ＤＭＲＳ／ＣＳＩ−ＲＳが割り当てられたシンボル／搬送波／副搬送波を、ＤＲＳ／ＣＲＳ／ＤＭＲＳ／ＣＳＩ−ＲＳシンボル／搬送波／副搬送波と呼ぶ。例えば、ＣＳＩ−ＲＳが割り当てられたシンボルをＣＳＩ−ＲＳシンボルと呼び、ＣＳＩ−ＲＳが割り当てられた副搬送波はＣＳＩ−ＲＳ副搬送波と呼ぶ。また、ＣＳＩ−ＲＳ伝送のために構成されたサブフレームをＣＲＳ−ＲＳサブフレームと称する。また、放送信号（例えば、ＰＢＣＨ）が伝送されるサブフレームを、放送信号サブフレームあるいはＰＢＣＨサブフレームと称し、同期信号（例えば、ＰＳＳ及び／またはＳＳＳ）が伝送されるサブフレームを、同期信号サブフレームあるいはＰＳＳ／ＳＳＳサブフレームと称する。
【００３０】
また、本発明でいうＣＳＩ−ＲＳ／ＤＲＳアンテナポートとは、基地局のアンテナポートのうち、ＣＳＩ−ＲＳ／ＤＲＳを伝送するアンテナポートを指す。基地局内の全アンテナポートがＣＳＩ−ＲＳ／ＤＲＳを伝送するように構成される場合に、全アンテナポートがＣＳＩ−ＲＳ／ＤＲＳアンテナポートになり、一部のアンテナポートがＣＳＩ−ＲＳ／ＤＲＳを伝送するように構成される場合に、該一部のアンテナポートがＣＳＩ−ＲＳ／ＤＲＳアンテナポートとなる。一つのＣＳＩ−ＲＳポートは、リソース要素上で該当のＣＳＩ−ＲＳを伝送し、一つのＤＲＳアンテナポートは、ＣＳＩ−ＲＳリソース要素とは異なるリソース要素上で該当のＤＲＳを伝送する。
【００３１】
一方、本発明で、特定信号がフレーム／サブフレーム／スロット／搬送波／副搬送波に割り当てられるということは、この特定信号が該当のフレーム／サブフレーム／スロット／シンボルの期間／タイミングの間に、該当の搬送波／副搬送波を通じて伝送されることを意味する。
【００３２】
以下では、フレーム／サブフレーム／スロット／シンボル／搬送波／副搬送波上に特定信号がマッピングされたが、実際には伝送されない場合に、特定信号の伝送がドロップ、ミュート、ヌルあるいはブランクされたと表現する。例えば、送信装置が特定信号を構成したが、該特定信号のマッピングされた所定リソース要素上でゼロ（ｚｅｒｏ）伝送電力で特定信号を伝送する場合に、送信装置が、特定信号の伝送をドロップ、所定リソース要素をミュートあるいはブランク、あるいは所定無線リソースでヌル信号を伝送すると表現することができる。
【００３３】
一方、本発明でいうセルとは、一基地局あるいは一アンテナグループが通信サービスを提供する一定の地理的領域を指す。そのため、本発明で特定セルと通信するということは、特定セルに通信サービスを提供するアンテナグループと通信することを意味することができる。また、特定セルのダウンリンク／アップリンク信号とは、特定セルに通信サービスを提供するアンテナグループとのダウンリンク／アップリンク信号を意味する。また、特定セルのチャネル状態／品質とは、特定セルに通信サービスを提供するアンテナグループと所定ＵＥとの間に形成されたチャネルあるいは通信リンクのチャネル状態／品質を意味する。
【００３４】
図１は、本発明を行うユーザー機器（ＵＥ）及び基地局の構成要素を示すブロック図である。
【００３５】
ＵＥは、アップリンクでは送信装置として動作し、ダウンリンクでは受信装置として動作する。逆に、基地局は、アップリンクでは受信装置として動作し、ダウンリンクでは送信装置として動作することができる。
【００３６】
ＵＥ及び基地局は、情報及び／またはデータ、信号、メッセージなどを受信することができるアンテナ５００ａ，５００ｂと、アンテナを制御してメッセージを伝送する送信器（Ｔｒａｎｓｍｉｔｔｅｒ）１００ａ，１００ｂ、アンテナを制御してメッセージを受信する受信器（Ｒｅｃｅｉｖｅｒ）３００ａ，３００ｂ、無線通信システム内の通信と関連した各種情報を記憶するメモリ２００ａ，２００ｂを備える。また、ＵＥ及び基地局は、ＵＥまたは基地局に含まれた送信器及び受信器、メモリなどの構成要素を制御して本発明を実行するように構成されたプロセッサ４００ａ，４００ｂをそれぞれ備える。ＵＥ中の送信器１００ａ、受信器３００ａ、メモリ２００ａ、プロセッサ４００ａはそれぞれ、別個のチップ（ｃｈｉｐ）により独立して構成されてもよく、２以上が一つのチップにより統合されてもよい。同様に、基地局中の送信器１００ｂ、受信器３００ｂ、メモリ２００ｂ、プロセッサ４００ｂはそれぞれ、別個のチップ（ｃｈｉｐ）により独立して構成されてもよく、２以上が一つのチップ（ｃｈｉｐ）により統合されてもよい。送信器及び受信器を統合してユーザー機器または基地局内で単一の送受信器（ｔｒａｎｓｃｅｉｖｅｒ）にしてもよい。
【００３７】
アンテナ５００ａ，５００ｂは、送信器１００ａ，１００ｂで生成された信号を外部に伝送したり、外部から無線信号を受信して受信器３００ａ，３００ｂに伝達する機能を有する。アンテナ５００ａ，５００ｂはアンテナポートと呼ぶこともできる。各アンテナポートは、一つの物理アンテナに該当することもあり、複数の物理アンテナ要素（ｅｌｅｍｅｎｔ）の組み合わせにより構成されることもある。各アンテナポートから伝送された信号は、ＵＥの受信器３００ａでそれ以上分解されることはない。該当のアンテナポートに対応して伝送された参照信号は、ＵＥの観点から見たアンテナポートを定義し、チャネルが一つの物理アンテナからの単一（ｓｉｎｇｌｅ）無線チャネルなのか、あるいは上記アンテナポートを含む複数の物理アンテナ要素（ｅｌｅｍｅｎｔ）からの合成（ｃｏｍｐｏｓｉｔｅ）チャネルなのかにかかわらず、ＵＥが上記アンテナポートに対するチャネル推定を行えるようにすることができる。すなわち、本発明においてアンテナポートは、アンテナポート上のシンボルを伝達するチャネルが、同アンテナポート上の他のシンボルが伝達されるチャネルから導出されうるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援する送受信器の場合には、２以上のアンテナと接続することができる。
【００３８】
プロセッサ４００ａ，４００ｂは、通常、ＵＥまたは基地局内の各種モジュールの全般動作を制御する。特に、プロセッサ４００ａ，４００ｂは、本発明を実行するための各種の制御機能、サービス特性及び伝播環境によるＭＡＣ（Ｍｅｄｉｕｍ  Ａｃｃｅｓｓ  Ｃｏｎｔｒｏｌ）フレーム可変制御機能、遊休モード動作を制御するための電力節約モード機能、ハンドオーバー（Ｈａｎｄｏｖｅｒ）機能、認証及び暗号化機能などを行うことができる。プロセッサ４００ａ，４００ｂは、コントローラ（ｃｏｎｔｒｏｌｌｅｒ）、マイクロコントローラ（ｍｉｃｒｏ  ｃｏｎｔｒｏｌｌｅｒ）、マイクロプロセッサ（ｍｉｃｒｏ  ｐｒｏｃｅｓｓｏｒ）、マイクロコンピュータ（ｍｉｃｒｏ  ｃｏｍｐｕｔｅｒ）などと呼ぶこともできる。一方、プロセッサ４００ａ，４００ｂは、ハードウェア（ｈａｒｄｗａｒｅ）またはファームウェア（ｆｉｒｍｗａｒｅ）、ソフトウェア、またはこれらの結合により具現することができる。ハードウェアを用いて本発明を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）またはＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などをプロセッサ４００ａ，４００ｂに備えることができる。一方、ファームウェアやソフトウェアを用いて本発明を具現する場合には、本発明の機能または動作を実行するモジュール、手順または関数などを含むようにファームウェアやソフトウェアを構成することができ、本発明を実行できるように構成されたファームウェアまたはソフトウェアは、プロセッサ４００ａ，４００ｂ内に設けられたり、メモリ２００ａ，２００ｂに格納されてプロセッサ４００ａ，４００ｂにより駆動されるものとすることができる。
【００３９】
送信器１００ａ，１００ｂは、プロセッサ４００ａ，４００ｂまたはプロセッサに接続されたスケジューラからスケジューリングされて外部に伝送される信号及び／またはデータに所定の符号化（ｃｏｄｉｎｇ）及び変調（ｍｏｄｕｌａｔｉｏｎ）を行ってからアンテナ５００ａ，５００ｂに伝達する。例えば、送信器１００ａ，１００ｂは、伝送しようとするデータ列を逆多重化、チャネル符号化及び変調過程などを経てＫ個のレイヤーに変換する。Ｋ個のレイヤーは送信器内の送信処理器を経て送信アンテナ５００ａ，５００ｂから伝送される。ＵＥ及び基地局の送信器１００ａ，１００ｂ及び受信器３００ａ，３００ｂは、送信信号及び受信信号を処理する過程によって異なる構成にすることができる。
【００４０】
メモリ２００ａ，２００ｂは、プロセッサ４００ａ，４００ｂの処理及び制御のためのプログラムを格納することができ、入出力される情報を臨時記憶することができる。メモリは、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）またはカードタイプのメモリ（例えば、ＳＤまたはＸＤメモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクなどを用いて具現することができる。
【００４１】
図２は、ユーザー機器及び基地局内の送信器構造の一例を示す図である。図２を参照して、送信器１００ａ，１００ｂの動作をより具体的に説明すると、下記の通りである。
【００４２】
図２を参照すると、ＵＥまたは基地局内の送信器１００ａ，１００ｂは、スクランブラ３０１及び変調マッパー３０２、レイヤーマッパー３０３、プリコーダ３０４、リソース要素マッパー３０５、ＯＦＤＭ／ＳＣ−ＦＤＭ信号生成器３０６を備えることができる。
【００４３】
送信器１００ａ，１００ｂは、一つ以上のコードワード（ｃｏｄｅｗｏｒｄ）を送信することができる。各コードワード内の符号化されたビット（ｃｏｄｅｄ  ｂｉｔｓ）はそれぞれ、スクランブラ３０１でスクランブリングされて、物理チャネル上で伝送される。コードワードはデータ列と呼ぶこともでき、ＭＡＣ層の提供するデータブロックと等価である。ＭＡＣ層の提供するデータブロックは、伝送ブロックと呼ぶこともできる。
【００４４】
スクランブルされたビットは、変調マッパー３０２で複素変調シンボル（ｃｏｍｐｌｅｘ−ｖａｌｕｅ  ｄｍｏｄｕｌａｔｉｏｎ  ｓｙｍｂｏｌｓ）に変調される。変調マッパーは、スクランブルされたビットを、既に決定された変調方式によって変調して信号コンステレーション（ｓｉｇｎａｌ  ｃｏｎｓｔｅｌｌａｔｉｏｎ）上の位置を表現する複素変調シンボルとして配置することができる。変調方式（ｍｏｄｕｌａｔｉｏｎ  ｓｃｈｅｍｅ）に制限はなく、ｍ−ＰＳＫ（ｍ−Ｐｈａｓｅ  Ｓｈｉｆｔ  Ｋｅｙｉｎｇ）またはｍ−ＱＡＭ（ｍ−Ｑｕａｄｒａｔｕｒｅ  Ａｍｐｌｉｔｕｄｅ  Ｍｏｄｕｌａｔｉｏｎ）などを、符号化されたデータの変調に用いることができる。
【００４５】
上記複素変調シンボルは、レイヤーマッパー３０３により一つ以上の伝送レイヤーにマッピングされる。
【００４６】
各レイヤー上の複素変調シンボルは、アンテナポート上での伝送のために、プリコーダ３０４によりプリコーディングされる。具体的に、プリコーダ３０４は、複素変調シンボルを多重送信アンテナ５００−１，…，５００−Ｎｔに基づくＭＩＭＯ方式で処理してアンテナ特定シンボルを出力し、該アンテナ特定シンボルを該当のリソース要素マッパー３０５に分配する。すなわち、伝送レイヤーのアンテナポートへのマッピングはプリコーダ３０４で行われる。プリコーダ３０４は、レイヤーマッパー３０３の出力ｘをＮｔ×Ｍｔのプリコーディング行列Ｗと掛けて、Ｎｔ×ＭＦの行列ｚとして出力することができる。リソース要素マッパー３０５は、各アンテナポートへの複素変調シンボルを適宜のリソース要素（ｒｅｓｏｕｒｃｅ  ｅｌｅｍｅｎｔｓ）にマッピング／割り当てる。リソース要素マッパー３０５は、各アンテナポートへの複素変調シンボルを適宜の副搬送波に割り当て、ユーザーに基づいて多重化することができる。
【００４７】
ＯＦＤＭ／ＳＣ−ＦＤＭ信号生成器３０６は、各アンテナポートへの複素変調シンボル、すなわち、アンテナ特定シンボルを、ＯＦＤＭまたはＳＣ−ＦＤＭ方式で変調し、複素時間ドメイン（ｃｏｍｐｌｅｘ−ｖａｌｕｅｄ  ｔｉｍｅ  ｄｏｍａｉｎ）ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル信号またはＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボル信号を生成する。ＯＦＤＭ／ＳＣ−ＦＤＭ信号生成器３０６は、アンテナ特定シンボルに対してＩＦＦＴ（Ｉｎｖｅｒｓｅ  Ｆａｓｔ  Ｆｏｕｒｉｅｒ  Ｔｒａｎｓｆｏｒｍ）を行うことができ、ＩＦＦＴが行われた時間ドメインシンボルにはＣＰ（Ｃｙｃｌｉｃ  Ｐｒｅｆｉｘ）を挿入することができる。ＯＦＤＭシンボルは、デジタル−アナログ（ｄｉｇｉｔａｌ−ｔｏ−ａｎａｌｏｇ）変換、周波数アップ変換などを経て、各送信アンテナ５００−１，…，５００−Ｎｔから受信装置に送信される。ＯＦＤＭ／ＳＣ−ＦＤＭ信号生成器３０６は、ＩＦＦＴモジュール、ＣＰ挿入器、ＤＡＣ（Ｄｉｇｉｔａｌ−ｔｏ−Ａｎａｌｏｇ  Ｃｏｎｖｅｒｔｅｒ）、周波数アップ変換器（ｆｒｅｑｕｅｎｃｙ  ｕｐｃｏｎｖｅｒｔｅｒ）などを備えることができる。
【００４８】
送信器１００ａ，１００ｂがコードワードの送信にＳＣ−ＦＤＭ接続（ＳＣ−ＦＤＭＡ）方式を採択する場合に、送信器１００ａ，１００ｂは、高速フーリエ変換器（ｆａｓｔ  Ｆｏｕｒｉｅｒ  ｔｒａｎｓｆｏｒｍｅｒ）を備えることができる。高速フーリエ変換器は、アンテナ特定シンボルにＦＦＴ（Ｆａｓｔ  Ｆｏｕｒｉｅｒ  Ｔｒａｎｓｆｏｒｍ）を行って、高速フーリエ変換されたシンボルをリソース要素マッパー３０５に出力する。
【００４９】
受信器３００ａ，３００ｂの信号処理手順は、送信器の信号処理手順と逆に構成される。具体的に、受信器３００ａ，３００ｂは、外部からアンテナ５００ａ，５００ｂを通じて受信した無線信号に復号（ｄｅｃｏｄｉｎｇ）及び復調（ｄｅｍｏｄｕｌａｔｉｏｎ）を行って該当のプロセッサ４００ａ，４００ｂに伝達する。受信器３００ａ，３００ｂに接続されたアンテナ５００ａ，５００ｂは、Ｎｒ個の多重受信アンテナを有することができ、受信アンテナを通じて受信した信号のそれぞれは、基底帯域信号に復元された後、多重化及びＭＩＭＯ復調化を経て、送信器１００ａ，１００ｂが本来伝送しようとしたデータ列に復元される。受信器３００ａ，３００ｂは、受信した信号を基底帯域信号に復元するための信号復元器、受信処理された信号を結合して多重化する多重化器、多重化された信号列を該当のコードワードに復調するチャネル復調器を備えることができる。信号復元器、多重化器及びチャネル復調器は、これらの機能を行う統合した一つのモジュールにしてもよく、それぞれの独立したモジュールにしてもよい。さらにいうと、信号復元器は、アナログ信号をデジタル信号に変換するＡＤＣ（ａｎａｌｏｇ−ｔｏ−ｄｉｇｉｔａｌ  ｃｏｎｖｅｒｔｅｒ）、デジタル信号からＣＰを除去するＣＰ除去器、ＣＰの除去された信号にＦＦＴ（ｆａｓｔ  Ｆｏｕｒｉｅｒ  ｔｒａｎｓｆｏｒｍ）を適用して周波数ドメインシンボルを出力するＦＦＴモジュール、周波数ドメインシンボルをアンテナ特定シンボルに復元するリソース要素デマッパー（ｒｅｓｏｕｒｃｅ  ｅｌｅｍｅｎｔ  ｄｅｍａｐｐｅｒ）／等化器（ｅｑｕａｌｉｚｅｒ）を備えることができる。アンテナ特定シンボルは多重化器により伝送レイヤーに復元され、該伝送レイヤーはチャネル復調器により、送信装置が伝送しようとしたコードワードに復元される。
【００５０】
一方、受信器３００ａ，３００ｂがＳＣ−ＦＤＭ信号を受信する場合に、受信器３００ａ，３００ｂは、ＩＦＦＴモジュールをさらに備える。ＩＦＦＴモジュールは、リソース要素デマッパーにより復元されたアンテナ特定シンボルにＩＦＦＴを行って、逆高速フーリエ変換されたシンボルを多重化器に出力する。
【００５１】
図１及び図２では、スクランブラ３０１、変調マッパー３０２、レイヤーマッパー３０３、プリコーダ３０４、リソース要素マッパー３０５、及びＯＦＤＭ／ＳＣ−ＦＤＭＡ信号生成器３０６が送信器１００ａ，１００ｂに備えられるとしたが、送信装置のプロセッサ４００ａ，４００ｂが、スクランブラ３０１、変調マッパー３０２、レイヤーマッパー３０３、プリコーダ３０４、リソース要素マッパー３０５、ＯＦＤＭ／ＳＣ−ＦＤＭＡ信号生成器３０６を備えるように構成してもよい。同様に、図１及び図２では、信号復元器、多重化器及びチャネル復調器が受信器３００ａ，３００ｂに備えられるとしたが、受信装置のプロセッサ４００ａ，４００ｂが、信号復元器、多重化器及びチャネル復調器を備えるように構成してもよい。以下では、説明の便宜のために、スクランブラ３０１、変調マッパー３０２、レイヤーマッパー３０３、プリコーダ３０４、リソース要素マッパー３０５、及びＯＦＤＭ／ＳＣ−ＦＤＭＡ信号生成器３０６が、それらの動作を制御するプロセッサ４００ａ，４００ｂと分離された送信器１００ａ，１００ｂに備えられ、信号復元器、多重化器及びチャネル復調器が、それらの動作を制御するプロセッサ４００ａ，４００ｂとは分離された受信器３００ａ，３００ｂに備えられるとして説明する。しかし、スクランブラ３０１、変調マッパー３０２、レイヤーマッパー３０３、プリコーダ３０４、リソース要素マッパー３０５、及びＯＦＤＭ／ＳＣ−ＦＤＭＡ信号生成器３０６が、プロセッサ４００ａ，４００ｂに含まれた場合及び信号復元器、多重化器及びチャネル復調器がプロセッサ４００ａ，４００ｂに備えられた場合にも、本発明の実施例を同一に適用することができる。
【００５２】
図３は、無線通信システムで用いられる無線フレーム構造の例を示す図であるる。特に、図３（ａ）は、３ＧＰＰ  ＬＴＥ／ＬＴＥ−Ａシステムのフレーム構造タイプ１（ＦＳ−１）例による無線フレームを例示し、図３（ｂ）は、３ＧＰＰ  ＬＴＥ／ＬＴＥ−Ａシステムのフレーム構造タイプ２（ＦＳ−２）による無線フレームを例示する。図３（ａ）のフレーム構造は、ＦＤＤ（Ｆｒｅｑｕｅｎｃｙ  Ｄｉｖｉｓｉｏｎ  Ｄｕｐｌｅｘ）モードと、半（ｈａｌｆ）ＦＤＤ（Ｈ−ＦＤＤ）モードで適用することができる。図３（ｂ）のフレーム構造は、ＴＤＤ（Ｔｉｍｅ  Ｄｉｖｉｓｉｏｎ  Ｄｕｐｌｅｘ）モードで適用することができる。
【００５３】
図３を参照すると、３ＧＰＰ  ＬＴＥ／ＬＴＥ−Ａで用いられる無線フレームは、１０ｍｓ（３０７２００Ｔｓ）の長さを有し、１０個の均等なサイズのサブフレームで構成される。１無線フレーム中の１０個のサブフレームにはそれぞれ番号を与えることができる。例えば、１０個のサブフレームに０から９まで順次に番号を与えることができる。ＴＤＤモードの場合に、ｎＤＬ個のダウンリンクサブフレームに０からｎＤＬ−１まで順次に番号が与え、ｎＵＬ（＝１０−ｎＤＬ）個のアップリンクサブフレームに０からｎＵＬ−１まで順次に番号を与えることができる。ここで、Ｔｓは、サンプリング時間を表し、Ｔｓ＝１／（２０４８×１５ｋＨｚ）と表示される。それぞれのサブフレームは１ｍｓの長さを有し、２個のスロットで構成される。１無線フレームにおいて２０個のスロットを０から１９まで順次にナンバリングできる。それぞれのスロットは０．５ｍｓの長さを有する。１サブフレームを伝送するための時間は、伝送時間間隔（ＴＴＩ：ｔｒａｎｓｍｉｓｓｉｏｎ  ｔｉｍｅ  ｉｎｔｅｒｖａｌ）と定義される。時間リソースは、無線フレーム番号（あるいは無線フレームインデックスともいう。）、サブフレーム番号（あるいはサブフレーム番号ともいう。）、スロット番号（あるいはスロットインデックスともいう。）などにより区別することができる。
【００５４】
図４は、無線通信システムにおいてＤＬ／ＵＬスロット構造の一例を示す図である。特に、図４は、３ＧＰＰ  ＬＴＥ／ＬＴＥ−Ａシステムのリソース格子（ｒｅｓｏｕｒｃｅ  ｇｒｉｄ）の構造を示す。アンテナポート当たりに１個のリソース格子がある。
【００５５】
図４を参照すると、スロットは、時間ドメインで複数のＯＦＤＭシンボルを含み、周波数ドメインで多数のリソースブロック（ｒｅｓｏｕｒｃｅ  ｂｌｏｃｋ、ＲＢ）を含む。ＯＦＤＭシンボルは、１シンボル区間を意味することもある。リソースブロックは周波数ドメインで多数の副搬送波を含む。ＯＦＤＭシンボルは、多重接続方式によってＯＦＤＭシンボル、ＳＣ−ＦＤＭシンボルなどと呼ぶことができる。１スロットに含まれるＯＦＤＭシンボルの数は、チャネル帯域幅、ＣＰの長さによって様々に変更可能である。例えば、一般（ｎｏｒｍａｌ）ＣＰの場合には、１スロットが７個のＯＦＤＭシンボルを含むが、拡張（ｅｘｔｅｎｄｅｄ）ＣＰの場合には、１スロットが６個のＯＦＤＭシンボルを含む。図４では、説明の便宜のために、１スロットが７  ＯＦＤＭシンボルで構成されるサブフレームを例示したが、本発明の実施例は、他の個数のＯＦＤＭシンボルを有するサブフレームにも同様に適用することができる。参考として、１アンテナポートに対するリソース格子内の各要素を、リソース要素（ｒｅｓｏｕｒｃｅ  ｅｌｅｍｅｎｔ、ＲＥ）と呼ぶ。１リソース要素は、１  ＯＦＤＭシンボルと１副搬送波で構成される。リソース要素はトーン（ｔｏｎｅ）という。
【００５６】
図４を参照すると、各スロットで伝送される信号は、ＮＤＬ／ＵＬＲＢＮＲＢｓｃ個の副搬送波（ｓｕｂｃａｒｒｉｅｒ）及びＮＤＬ／ＵＬｓｙｍｂ個のＯＦＤＭあるいはＳＣ−ＦＤＭシンボルで構成されるリソース格子（ｒｅｓｏｕｒｃｅ  ｇｒｉｄ）で表現することができる。ここで、ＮＤＬＲＢは、ダウンリンクスロットにおけるリソースブロック（ｒｅｓｏｕｒｃｅ  ｂｌｏｃｋ、ＲＢ）の個数を表し、ＮＵＬＲＢは、アップリンクスロットにおけるＲＢの個数を表す。ＮＤＬｓｙｍｂは、ダウンリンクスロット内のＯＦＤＭあるいはＳＣ−ＦＤＭシンボルの個数を表し、ＮＵＬｓｙｍｂは、アップリンクスロット内のＯＦＤＭあるいはＳＣ−ＦＤＭシンボルの個数を表す。ＮＲＢｓｃは、１  ＲＢを構成する副搬送波の個数を表す。
【００５７】
言い換えると、物理リソースブロック（ｐｈｙｓｉｃａｌ  ｒｅｓｏｕｒｃｅ  ｂｌｏｃｋ、ＰＲＢ）は、時間ドメインでＮＤＬ／ＵＬｓｙｍｂ個の連続するＯＦＤＭシンボルあるいはＳＣ−ＦＤＭシンボルで定義され、周波数ドメインでＮＲＢｓｃ個の連続する副搬送波で定義される。そのため、１  ＰＲＢは、ＮＤＬ／ＵＬｓｙｍｂ×ＮＲＢｓｃ個のリソース要素で構成される。
【００５８】
リソース格子中の各リソース要素は、一スロット内のインデックス対（ｋ，１）により固有に定義できる。ｋは、周波数ドメインで０からＮＤＬ／ＵＬＲＢＮＲＢｓｃ−１まで与えられるインデックスであり、ｌは、時間ドメインで０からＮＤＬ／ＵＬｓｙｍｂ−１まで与えられるインデックスである。
【００５９】
図５乃至図８は、無線通信システムにおいて、同期信号及び放送信号が伝送される例を示す図である。特に、図５は、ＦＤＤモードで一般ＣＰを持つフレーム内の同期信号及び放送信号リソースを例示し、図６は、ＦＤＤモードで拡張ＣＰを持つ無線フレーム内の同期信号及び放送信号リソースを例示する。図７は、ＴＤＤモードで一般ＣＰを持つフレーム内の同期信号及び放送信号リソースを例示し、図８は、ＴＤＤモードで拡張ＣＰを持つフレーム内の同期信号及び放送信号リソースを例示する。
【００６０】
ＵＥは、電源がついたり新しくセルに進入した場合に、ＢＳと同期を合わせる等の初期セル探索（Ｉｎｉｔｉａｌ  ｃｅｌｌ  ｓｅａｒｃｈ）作業を行う。そのために、ＵＥはＢＳから同期信号、例えば、プライマリ同期信号（Ｐｒｉｍａｒｙ  Ｓｙｎｃｈｒｏｎｉｚａｔｉｏｎ  Ｓｉｇｎａｌ、ＰＳＳ）及びセカンダリ同期信号（Ｓｅｃｏｎｄａｒｙ  Ｓｙｎｃｈｒｏｎｉｚａｔｉｏｎ  Ｓｉｇｎａｌ、ＳＳＳ）を受信してＢＳと同期を合わせ、セル識別子（Ｉｄｅｎｔｉｔｙ、ＩＤ）などの情報を獲得することができる。その後、ＵＥはＢＳから放送信号、例えば、ＰＢＣＨ（Ｐｈｙｓｉｃａｌ  Ｂｒｏａｄｃａｓｔ  ＣＨａｎｎｅｌ）を受信してセル内の放送情報を獲得することができる。
【００６１】
初期セル探索を終えたＵＥは、ＰＤＣＣＨ及び該ＰＤＣＣＨに含まれた情報に基づいてＰＤＳＣＨを受信することによって、より具体的なシステム情報を獲得することができる。上述の手順を行ったＵＥは、以降、一般的なアップ／ダウンリンク信号伝送手順として、ＰＤＣＣＨ／ＰＤＳＣＨ受信及びＰＵＳＣＨ／ＰＵＣＣＨ伝送を行うことができる。ＵＥがアップリンクを通じてＢＳに伝送するアップリンク制御情報またはＵＥがＢＳから受信するダウンリンク制御情報は、ＤＬ／ＵＬ  ＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＳＲ（Ｓｃｈｅｄｕｌｉｎｇ  Ｒｅｑｕｅｓｔ）、ＲＩ（Ｒａｎｋ  Ｉｎｄｉｃａｔｏｒ）などを含む。ＣＱＩ、ＰＭＩ、ＲＩは、チャネル状態情報（Ｃｈａｎｎｅｌ  Ｓｔａｔｅ  Ｉｎｆｏｒｍａｔｉｏｎ、ＣＳＩ）と呼ぶこともできる。
【００６２】
ユーザー機器が該当のシステムによって通信を行うためには、前述したようなセル探索過程を行い、ダウンリンク信号の復調（ｄｅｍｏｄｕｌａｔｉｏｎ）及びアップリンク信号の伝送を正確な時点に行うのに必要な時間及び周波数パラメータを決定し、当該基地局からユーザー機器のシステム構成に必要なシステム情報を獲得しなければならない。システム情報は、マスター情報ブロック（Ｍａｓｔｅｒ  Ｉｎｆｏｒｍａｔｉｏｎ  Ｂｌｏｃｋ、ＭＩＢ）及びシステム情報ブロック（Ｓｙｓｔｅｍ  Ｉｎｆｏｒｍａｔｉｏｎ  Ｂｌｏｃｋｓ、ＳＩＢｓ）により構成される。各システム情報ブロックは、機能的に関連したパラメータのセットを含み、含まれるパラメータによってマスター情報ブロック（Ｍａｓｔｅｒ  Ｉｎｆｏｒｍａｔｉｏｎ  Ｂｌｏｃｋ、ＭＩＢ）、システム情報ブロックタイプ１（Ｓｙｓｔｅｍ  Ｉｎｆｏｒｍａｔｉｏｎ  Ｂｌｏｃｋ  Ｔｙｐｅ  １、ＳＩＢ１）、システム情報ブロックタイプ２（Ｓｙｓｔｅｍ  Ｉｎｆｏｒｍａｔｉｏｎ  Ｂｌｏｃｋ  Ｔｙｐｅ  ２、ＳＩＢ２）、ＳＩＢ３〜ＳＩＢ８に区別される。
【００６３】
ＭＩＢは、ユーザー機器がネットワークに初期アクセスするのに必須な、最も頻繁に伝送されるパラメータを含む。ＳＩＢ１は、他のＳＩＢの時間−ドメインスケジューリングに関する情報の他、特定セルがセル選択に適合するセルであるか否かを判断するのに必要なパラメータを含む。
【００６４】
図５乃至図８を参照して、同期信号及び放送信号をより具体的に説明すると、下記の通りである。
【００６５】
同期信号は、ＰＳＳとＳＳＳと区別される。ＰＳＳは、ＯＦＤＭシンボル同期、スロット同期などの時間ドメイン同期及び／または周波数ドメイン同期を得るために用いられ、ＳＳＳは、フレーム同期、セル識別子（ｃｅｌｌ  ＩＤ）及び／またはセルのＣＰ構成（すなわち、一般ＣＰまたは拡張ＣＰの使用情報）を得るために用いられる。図５乃至図８を参照すると、ＰＳＳとＳＳＳは、毎無線フレームの２個のＯＦＤＭシンボルでそれぞれ伝送される。また、ＰＳＳとＳＳＳはそれぞれ、６個の３ＲＢ上で伝送される。６個のＲＢは、該当のＯＦＤＭシンボル内でＤＣ副搬送波を中心に最も近接する左右３個ずつのＲＢを含む。
【００６６】
ＰＢＣＨのメッセージ内容は、ＲＲＣ層でマスター情報ブロック（Ｍａｓｔｅｒ  Ｉｎｆｏｒｍａｔｉｏｎ  Ｂｌｏｃｋ、ＭＩＢ）と表現される。ＰＢＣＨには、ダウンリンクシステム帯域幅（ＤＬ−Ｂａｎｄｗｉｄｔｈ、ＤＬ  ＢＷ）、ＰＨＩＣＨ設定、システムフレームナンバー（ＳＦＮ）が含まれる。そのため、ユーザー機器はＰＢＣＨを受信することによって明示的（ｅｘｐｌｉｃｉｔ）にＤＬ  ＢＷ、ＳＦＮ、ＰＨＩＣＨ設定に関する情報がわかる。一方、ＰＢＣＨの受信を通じてユーザー機器が暗黙的（ｉｍｐｌｉｃｉｔ）にわかる情報には、基地局の送信アンテナポートの個数がある。基地局の送信アンテナ個数に関する情報は、ＰＢＣＨのエラー検出に用いられる１６−ビットＣＲＣ（Ｃｙｃｌｉｃ  Ｒｅｄｕｎｄａｎｃｙ  Ｃｈｅｃｋ）に、送信アンテナ個数に対応するシーケンスをマスキング（例、ＸＯＲ演算）して暗黙的にシグナリングされる。ＰＢＣＨは、セル−特定（Ｃｅｌｌ−ｓｐｅｃｉｆｉｃ）スクランブリング、変調、レイヤーマッピング及びプリコーディングを経た後に、物理リソースにマッピングされる。
【００６７】
符号化されたＰＢＣＨは、図５乃至図８のように、４０ｍｓの間に４個のサブフレームにマッピングされる。４０ｍｓタイミングはブラインド検出されるもので、４０ｍｓタイミングに対する明示的なシグナリングが別途に存在しない。図５乃至図８からわかるように、ＰＢＣＨは１サブフレームにおいて４個のＯＦＤＭシンボルと６個のＲＢにマッピングされる。時間ドメインで、ＰＢＣＨは、無線フレーム内のサブフレーム０内のスロット１（サブフレーム０の後ろのスロット）のＯＦＤＭシンボル０〜３で伝送される。一方、周波数ドメインで、ＰＢＣＨは、実際システム帯域幅によらず、７２個の中心副搬送波にのみマッピングされる。すなわち、未使用として残されるＤＣ（ｄｉｒｅｃｔ  ｃｕｒｒｅｎｔ）副搬送波を中心に７２個の中心副搬送波に対応する６個のＲＢ上で伝送される。
【００６８】
一方、干渉信号の緩和、ＢＳとＵＥ間のチャネル状態の推定、ＢＳとＵＥ間に伝送された信号の復調などのために、様々な参照信号がＢＳとＵＥ間に伝送される。参照信号とは、ＢＳからＵＥにあるいはＵＥからＢＳに伝送する、ＢＳとＵＥが互いに知っている既に定められた特別な波形の信号を意味し、パイロット（ｐｉｌｏｔ）とも呼ばれる。
【００６９】
図９及び図１０は、参照信号伝送の概念図である。特に、図９は、ＣＲＳの伝送例を示し、図１０は、ＤＲＳ及びＣＳＩ−ＲＳの伝送例を示す。
【００７０】
参照信号は、専用参照信号（ｄｅｄｉｃａｔｅｄ  ｒｅｆｅｒｅｎｃｅ  ｓｉｇｎａｌ、ＤＲＳ）と共用参照信号（ｃｏｍｍｏｎ  ｒｅｆｅｒｅｎｃｅ  ｓｉｇｎａｌ、ＣＲＳ）とに大別することができる。ＣＲＳとＤＲＳをそれぞれ、セル−特定ＲＳと復調（ｄｅｍｏｄｕｌａｔｉｏｎ）ＲＳ（ＤＭＲＳ）と呼ぶこともできる。また、ＤＭＲＳを、ユーザー機器−特定（ＵＥ−ｓｐｅｃｉｆｉｃ）ＲＳと呼ぶこともできる。
【００７１】
図９を参照すると、ＣＲＳは、ＰＤＳＣＨ伝送を支援するセル内の全ダウンリンクサブフレームで伝送される。ＣＲＳは、復調の目的、測定の目的の両方に用いることができる参照信号で、セル内の全ユーザー機器に共有される。ＣＲＳシーケンスはレイヤーの個数によらず、全てのアンテナポートから伝送される。
【００７２】
３ＧＰＰ  ＬＴＥシステムでは最大２個のレイヤーが支援され、レイヤーは、当該レイヤーの復調のためのＤＲＳ、及び該当のＵＥ及びレイヤーを伝送するＢＳ間のチャネル推定のためのＣＲＳと同時に伝送される。ＣＲＳベースのダウンリンク伝送は、全ての物理アンテナポート上でＲＳが伝送されなければならない。そのため、ＣＲＳベースのダウンリンク伝送は、物理アンテナポートの個数が増加するにつれて全体的なＲＳオーバーヘッドも増加し、データ伝送効率が低下するという問題点が生じる。このような問題点を解決するために、３ＧＰＰ  ＬＴＥシステムよりも多い個数のレイヤーの伝送が可能な３ＧＰＰ  ＬＴＥ−Ａシステムは、物理アンテナポートの個数が増加するにつれて伝送オーバーヘッドが増加するＣＲＳの代わりに、ＤＲＳを復調用参照信号として用いる。
【００７３】
図１０を参照すると、ＤＲＳは、復調の目的に用いられるのが一般的であり、特定ＵＥのみ使用可能である。ＤＲＳは、プリコーディングされたＲＳ及びプリコーディングされていないＲＳとに分類することができる。プリコーディングされたＲＳがＤＲＳとして採択されると、該ＤＲＳは、データシンボルのプリコーディングに用いられるプリコーディング行列でプリコーディングされ、Ｋ個のレイヤーと同じ個数のＲＳシーケンスが伝送される。ここで、Ｋは、アンテナポートの個数Ｎｔと同一であるまたは小さい。Ｋ個のレイヤーは一つまたは複数のＵＥに割り当てられることが可能である。複数のＵＥがＫ個のレイヤーを共有する場合には、１〜Ｋ個のＵＥが同一の時間／周波数リソースを用いてＫ個のレイヤーを受信することができる。
【００７４】
ＤＲＳベースのダウンリンク伝送の場合に、仮想アンテナポートのみがコヒーレント（ｃｏｈｅｒｅｎｔ）復調のための参照信号を必要とする。すなわち、ＤＲＳベースのダウンリンク伝送の場合に、ＢＳの全ての物理アンテナポートではなく、仮想アンテナポートのみが該当の仮想アンテナのＤＲＳを伝送すればよい。仮想アンテナポートの個数は物理アンテナポートの個数Ｎｔよりも小さいまたは同一であるのが一般的であるから、ＤＲＳベースのダウンリンク伝送のＲＳ伝送オーバーヘッドが、ＣＲＳベースダウンリンク伝送のＲＳオーバーヘッドに比べて減るという長所がある。
【００７５】
ただし、データと同じプリコーダを用いたＤＲＳは復調の目的にのみ用いられるＲＳであるから、３ＧＰＰ  ＬＴＥ−Ａでは、ＵＥがチャネル状態情報を測定できるようにするための追加的な測定用ＲＳであるＣＳＩ−ＲＳ（Ｃｈａｎｎｅｌ  Ｓｔａｔｅ  Ｉｎｆｏｒｍａｔｉｏｎ  ＲＳ）が当該ＵＥに伝送される。ＣＳＩ−ＲＳは、チャネル状態が相対的に時間による変化度が大きくないという事実に着目し、毎サブフレームごとに伝送されるＣＲＳとは違い、多数のサブフレームで構成される所定の伝送周期ごとに伝送される。このようなＣＳＩ−ＲＳの伝送特徴から、ＣＳＩ−ＲＳ伝送オーバーヘッドはＣＲＳの伝送オーバーヘッドよりも低いという長所がある。
【００７６】
ＢＳは、セル−特定的に一つ以上のアンテナポートを通じて一つ以上のＣＳＩ−ＲＳを伝送でき、ＵＥはＣＳＩ−ＲＳを受信し、ＣＳＩ−ＲＳに基づいてセルのチャネルを測定できる。ＵＥは、チャネル測定結果を表すチャネル状態情報をＢＳにフィードバックすることができる。
【００７７】
図１１は、セルラーベースの無線通信システムの概念を説明するための図である。
【００７８】
複数の基地局（ＢＳ）が特定無線通信システムの全領域をカバーするように構成され、各基地局は、一定の地域内のユーザー機器に特定無線通信サービスを提供するように構成される。全ての基地局が同一の通信サービスを提供することもでき、各基地局が異なる通信サービスを提供することもできる。最近の多重セルベースの無線通信システムは、隣接した複数の基地局が同一の周波数帯域を用いてユーザー機器と通信できるように設計される。
【００７９】
図１２は、独立セル内で多重セクターを用いた無線通信システムの概念を説明するための図である。
【００８０】
図１１で説明した通り、各基地局は、一般に、一定の地理的領域に通信サービスを提供する。図１２を参照すると、システム性能を改善するために、一定の地理的領域を複数のより小さい領域（Ｃｅｌｌ  １、Ｃｅｌｌ  ２、Ｃｅｌｌ  ３）に分割することができる。それぞれのより小さい領域は、セル、セクターまたはセグメントと呼ぶことができる。信号干渉は、図１１のように異なる基地局に属したセル同士に発生するだけでなく、図１２のように一基地局に属したセル同士間にも発生する。
【００８１】
多重セルシステムにおいて、隣接セルから発生する干渉の影響が考慮されないと、全体無線通信システムの性能低下につながることができる。例えば、図１１を参照すると、特定ユーザー機器がＢＳ１とＢＳ２との間に位置する場合に、ＢＳ１とＢＳ２が同じ周波数帯域を用いて特定ユーザー機器に伝送する信号は、類似の強度で特定ユーザー機器に影響を及ぼす。ＢＳ１のダウンリンク信号とＢＳ２のダウンリンク信号は相互間に干渉として作用するが、このような干渉の影響を考慮しないで通信システムを構成すると、ユーザー機器が基地局にフィードバックするチャネル状態情報（ｃｈａｎｎｅｌ  ｓｔａｔｅ  ｉｎｆｏｒｍａｔｉｏｎ）（あるいは、チャネル品質情報ともいう。）が不正確になり、システムの収率を最適化できなくなるという問題が発生する。
【００８２】
結局、通信システムの収率を最適化するためには、ユーザー機器が、隣接セルとユーザー機器間に形成されたチャネルの状態及び／または隣接セルからの干渉の大きさを考慮してサービングセルのチャネル状態を正確に測定できるように通信システムを構成することが重要である。
【００８３】
＜ＣＳＩ−ＲＳ構成＞
ユーザー機器によるサービングセル及び／または隣接セルのチャネルの測定には、セル−特定的に伝送されるＣＳＩ−ＲＳが用いられるのが一般的である。
【００８４】
図１３は、ＣＳＩ−ＲＳ伝送例を示す図である。
【００８５】
ＲＳの伝送に用いられるＲＥはデータ伝送に用いることができないので、ＲＳオーバーヘッドが増加するほどデータ処理量（ｔｈｒｏｕｇｈｐｕｔ）が減少する。そこで、ＲＳオーバーヘッドを減らすために、ＢＳは、ＢＳが通信サービスを提供するセルに位置しているＵＥに、毎サブフレームではなく、複数のサブフレームで構成される伝送周期にＣＳＩ−ＲＳを伝送する。図１３を参照すると、ＢＳは、ＢＳに属する所定のアンテナグループにより形成されたチャネルの測定のために、５個のサブフレームごとに所定のアンテナグループを通じてＣＳＩ−ＲＳ伝送を行う。所定のアンテナグループから通信信号を受信するＵＥは、所定のアンテナグループ内の各アンテナポートが伝送したＣＳＩ−ＲＳを受信し、所定のアンテナグループとＵＥ間に形成されたチャネルの状態／品質を推定／測定することができる。
【００８６】
ＵＥがＣＳＩ−ＲＳを検出（あるいは受信）するためには、該当のセルのＣＳＩ−ＲＳが伝送されるサブフレームを知らなければならない。ＢＳは、ＣＳＩ−ＲＳ伝送のためのサブフレーム（以下、ＣＳＩ−ＲＳサブフレーム）が構成される周期ＴＣＳＩ−ＲＳをＵＥに伝送することができる。一方、ＴＣＳＩ−ＲＳが同一であっても、最初のＣＳＩ−ＲＳ伝送のために構成された最初のサブフレームが異なると、ＵＥがモニタしなければならないＣＳＩ−ＲＳサブフレームが変わることになる。そのため、ＢＳは、ＣＳＩ−ＲＳサブフレームを特定するために、ＴＣＳＩ−ＲＳと共に最初ＣＳＩ−ＲＳサブフレームを特定できる情報をＵＥに伝送すればよい。例えば、ＢＳは、ＣＳＩ−ＲＳ伝送周期ＴＣＳＩ−ＲＳとサブフレームオフセット△ＣＳＩ−ＲＳをＵＥにシグナリングすることで、ＣＳＩ−ＲＳサブフレームをＵＥに知らせることができる。ＣＳＩ−ＲＳ伝送周期ＴＣＳＩ−ＲＳとサブフレームオフセット△ＣＳＩ−ＲＳを、下記のようなＣＳＩ−ＲＳサブフレーム構成情報ＩＣＳＩ−ＲＳの形態でＵＥに伝送することができる。
【００８７】
【表１】
2013524569.tif 000003
表１で、ＩＣＳＩ−ＲＳは、ＣＳＩ−ＲＳ伝送周期とサブフレームオフセットを表す。表１を参照すると、ＩＣＳＩ−ＲＳが５以上１４以下の値であれば、ＣＳＩ−ＲＳは、無線フレーム内のサブフレーム番号がＩＣＳＩ−ＲＳ−５のサブフレームから始まって、１０個のサブフレームごとに伝送される。例えば、媒体接近制御（Ｍｅｄｉｕｍ  Ａｃｃｅｓｓ  Ｃｏｎｔｒｏｌ、ＭＡＣ）シグナリング、無線リソース制御（Ｒａｄｉｏ  Ｒｅｓｏｕｒｃｅ  Ｃｏｎｔｒｏｌ、ＲＲＣ）シグナリングのような上位レイヤーシグナリングによりＩＣＳＩ−ＲＳを決定することができる。ＩＣＳＩ−ＲＳは、隣接するセルあるいは所定の推定セットのセルに対して同じ値になるように決定することができる。あるいは、ＩＣＳＩ−ＲＳがそれぞれのセルに対して異なる値になるように決定することもできるが、ＩＣＳＩ−ＲＳを５で割った余りが同一となるようにＩＣＳＩ−ＲＳを決定することができる。
【００８８】
所定の推定セットのセルが属した基地局は、これら推定セットのセルのためにＩＣＳＩ−ＲＳを決定あるいは調整し、ＩＣＳＩ−ＲＳを当該セルのカバレッジ内のＵＥに伝送することができる。これら所定の推定セットのセルのそれぞれは、ＩＣＳＩ−ＲＳにより特定されるＣＳＩ−ＲＳサブフレーム上でＣＳＩ−ＲＳ伝送を行うことができる。ＵＥは、ＩＣＳＩ−ＲＳに基づいてＵＥに通信サービスを提供するセル（以下、サービングセル）のＣＳＩ−ＲＳの伝送されるＣＳＩ−ＲＳサブフレームがわかる。ＵＥは、下記の式を満たすサブフレームをＣＳＩ−ＲＳサブフレームと判断することができる。
【００８９】
【数１】
2013524569.tif 000004
ここで、ｎｆは、システムフレームナンバーを表し、ｎｓは、無線フレーム内のスロットナンバーを表す。
【００９０】
例えば、図１３のように、ＣＳＩ−ＲＳを伝送するセルＡのＢＳは、セルＡに位置するＵＥに、０に設定されたＩＣＳＩ−ＲＳを伝送することができる。セルＡに位置しているＵＥは、ＩＣＳＩ−ＲＳ＝０から、サブフレーム０から始めて５サブフレームごとにＣＳＩ−ＲＳを受信すべきということがわかる。
【００９１】
他の例として、ＣＳＩ−ＲＳ伝送のために最初に構成された開始無線フレームを表す無線フレームナンバーｎｆ、開始無線フレームにおいてＣＳＩ−ＲＳの伝送されるサブフレームを表すサブフレームインデックスｎ、ＣＳＩ−ＲＳ伝送周期を表すｔにより、ＣＳＩ−ＲＳサブフレームが特定されてもよい。例えば、ＢＳが（ｎｆ，ｎ，ｔ）を伝送すると、ＵＥは、（ｎｆ，ｎ，ｔ）から、ＣＳＩ−ＲＳが最初に伝送される開始サブフレームと、開始サブフレームからｔ個のサブフレームごとにＣＳＩ−ＲＳが伝送されるということがわかる。
【００９２】
一方、ユーザー機器が特定セル（あるいは特定アンテナグループ伝送ポイント）のチャネル状態をより正確に測定できるようにするために、特定セルと隣接するセルは、特定セルでＣＳＩ−ＲＳが伝送されるＯＦＤＭシンボル内の副搬送波上にヌル信号を伝送することができる。これをＲＥミューティングという。所定セルのリソース要素がミューティングされると、所定リソース要素では所定セルのダウンリンク信号がユーザー機器に伝送されないので、ユーザー機器が所定リソース要素上で行うチャネル測定及び／または干渉測定に所定セルが影響を及ぼさないという長所がある。すなわち、所定セルを通じて伝送される信号をチャネル測定及び／または干渉測定の過程で排除することができる。
【００９３】
隣接する多重セル間のＣＳＩ−ＲＳ伝送が衝突しないようにし、ＲＥミューティングにより伝送されるべきＣＳＩ−ＲＳがドロップしないようにするためには、隣接するセルのＣＳＩ−ＲＳ位置が重なり合ってはならない。そのため、隣接するセルのＣＳＩ−ＲＳが割り当てられるリソースは、互いに直交するとよい。このようなＣＳＩ−ＲＳの直交性は、隣接するセルの伝送するＣＳＩ−ＲＳは、所定の時間／周波数リソース領域で重なり合わないように無線リソースにマッピングすることで得られてもよい。以下では、基地局が構成したＣＳＩ−ＲＳポートが該当のＣＳＩ−ＲＳを伝送する一リソースブロック対内のリソースの位置を、ＣＳＩ−ＲＳパターンと呼ぶ。参考として、ＣＳＩ−ＲＳパターンは、ＣＳＩ−ＲＳ構成（ｃｏｎｆｉｇｕｒａｔｉｏｎ）と呼ぶこともできる。
【００９４】
図１４乃至図１６は、ＣＳＩ−ＲＳパターンの例を示す図である。説明の便宜のために、基地局が最大８個のＣＳＩ−ＲＳポートを構成できるとする。また、ＣＳＩ−ＲＳポートｘが伝送するＣＳＩ−ＲＳをＣＳＩ−ＲＳｘとして本発明の実施例を説明する。
【００９５】
図１４のＣＳＩ−ＲＳパターン例によれば、所定の時間及び周波数リソース上で１個のＣＳＩ−ＲＳポートのみがＣＳＩ−ＲＳを伝送する。図１４（ａ）を参照すると、基地局は、最大８個のＣＳＩ−ＲＳポートを構成し、各ＣＳＩ−ＲＳポートは該当のＣＳＩ−ＲＳを該当のＣＳＩ−ＲＳ  ＲＥ上で伝送する。例えば、ＣＳＩ−ＲＳポート１は、ＣＳＩ−ＲＳサブフレームの一リソースブロック対のうち、１番目のＲＢ（すなわち、ＣＳＩ−ＲＳサブフレームの１番目のスロットに属したＲＢ）では、ＯＦＤＭシンボル３における１２番目の副搬送波上でＣＳＩ−ＲＳ１を伝送し、２番目のＲＢ（すなわち、ＣＳＩ−ＲＳサブフレームの２番目のスロットに属したＲＢ）では、ＯＦＤＭシンボル３における６番目の副搬送波上でＣＳＩ−ＲＳ１を伝送する。また、ＣＳＩ−ＲＳポート０は、１番目のＲＢでは、ＯＦＤＭシンボル３における６番目の副搬送波上でＣＳＩ−ＲＳ０を伝送し、２番目のＲＢでは、ＯＦＤＭシンボル３における１２番目の副搬送波上でＣＳＩ−ＲＳ０を伝送する
所定の時間及び周波数リソース上で１個のＣＳＩ−ＲＳのみ伝送される図１４とは違い、図１５のＣＳＩ−ＲＳパターン例によれば、複数のＣＳＩ−ＲＳが所定の時間及び周波数リソース上に多重化されて伝送される。同一のリソース上に多重化されるＣＳＩ−ＲＳが相互区別されるように、コード分割多重化（Ｃｏｄｅ  Ｄｉｖｉｓｉｏｎ  Ｍｕｌｔｉｐｌｅｘｉｎｇ、ＣＤＭ）を用いることができる。例えば、基地局は、長さ２の直交シーケンス（Ｏｒｔｈｏｇｏｎａｌ  Ｓｅｑｕｅｎｃｅ）を用いてＣＳＩ−ＲＳｘとＣＳＩ−ＲＳｙをそれぞれ拡散し、２個のＲＥのそれぞれでＣＳＩ−ＲＳｘとＣＳＩ−ＲＳｙを共に伝送することができる。
【００９６】
図１５で、‘ｘｙ’は、該当のリソース上で伝送されるＣＳＩ−ＲＳを意味する。例えば、‘０１’と表記されたリソースは、ＣＳＩ−ＲＳ  ０及びＣＳＩ−ＲＳ  １が‘０１’と表記されたリソース上に多重化されて伝送されることを意味する。図１５（ａ）を参照すると、ＣＳＩ−ＲＳポート１は、一リソースブロック対内の１番目のＲＢのＯＦＤＭシンボル３と２番目ＲＢのＯＦＤＭシンボル４で、６番目の副搬送波及び１２番目の副搬送波を通じてそれぞれＣＳＩ−ＲＳ１を伝送する。また、ＣＳＩ−ＲＳポート０は、１番目のＲＢのＯＦＤＭシンボル３と２番目のＲＢのＯＦＤＭシンボル４で、６番目の副搬送波及び１２番目の副搬送波を通じてそれぞれＣＳＩ−ＲＳ  ０を伝送する。すなわち、ＣＳＩ−ＲＳ  ０及びＣＳＩ−ＲＳ  １が、各ＲＢのＯＦＤＭシンボル３における６番目の副搬送波上に多重化されて伝送され、ＯＦＤＭシンボル３における１２番目の副搬送波上にも多重化されて伝送される。
【００９７】
図１４及び図１５に示すＣＳＩ−ＲＳパターンは例示に過ぎず、他のＣＳＩ−ＲＳパターンが定義されて用いられてもよい。表２及び表３は、ＦＳ−１とＦＳ−２で用いることができるＣＳＩ−ＲＳパターンを例示するものである。特に、表２は、一般ＣＰを持つサブフレームにおけるＣＳＩ−ＲＳパターンを示し、表３は、拡張ＣＰを持つサブフレームにおけるＣＳＩ−ＲＳパターンを示す。
【００９８】
【表２】
2013524569.tif 000005
【００９９】
【表３】
2013524569.tif 000006
表２または表３中の（ｋ’，ｌ’）及びｎｓを下記の式に適用して、各ＣＳＩ−ＲＳポートが該当のＣＳＩ−ＲＳの伝送に用いるＲＥを決定することができる。すなわち、ＣＳＩ−ＲＳ伝送のために構成されたサブフレーム（以下、ＣＳＩ−ＲＳサブフレーム）において、ＣＳＩ−ＲＳシーケンスを、ＣＳＩ−ＲＳポートｐ上の参照シンボル（ｒｅｆｅｒｅｎｃｅ  ｓｙｍｂｏｌｓ）として用いられる複素変調シンボル（ｃｏｍｐｌｅｘ−ｖａｌｕｅｄ  ｍｏｄｕｌａｔｉｏｎ  ｓｙｍｂｏｌｓ）ａ（ｐ）ｋ，ｌに下記の式によってマッピングすることができる。
【０１００】
【数２】
2013524569.tif 000007
数学式２で、ＣＳＩ−ＲＳポートｐがＣＳＩ−ＲＳ伝送に用いるリソースインデックス対（ｋ，ｌ）は、下記の式によって決定することができる。
【０１０１】
【数３】
2013524569.tif 000008
図１６は、数学式３及び表２によるＣＳＩ−ＲＳパターンを示す。特に、図１６（ａ）は、表２によって８個のＣＳＩ−ＲＳポートのための５種のＣＳＩ−ＲＳパターンを示したものである。図１６（ｂ）は、４個のＣＳＩ−ＲＳポートのための表２の１６種のＣＳＩ−ＲＳパターンのうち、ＣＳＩ−ＲＳパターン０からＣＳＩ−ＲＳパターン５までを示したものであり、図１６（ｃ）は、１個たは２個のＣＳＩ−ＲＳポートのための表２の３２種のＣＳＩ−ＲＳパターンのうち、ＣＳＩ−ＲＳパターン０からＣＳＩ−ＲＳパターン５までを示したものである。
【０１０２】
表２及び表３のＣＳＩ−ＲＳパターンは入れ子属性（ｎｅｓｔｅｄ  ｐｒｏｐｅｒｔｙ）を有する。入れ子属性とは、多い個数のＣＳＩ−ＲＳポートに対するＣＳＩ−ＲＳパターンが、少ない個数のＣＳＩ−ＲＳポートのためのＣＳＩ−ＲＳパターンのスーパーセット（ｓｕｐｅｒ  ｓｅｔ）になるということを意味する。図１６（ａ）及び図１６（ｂ）を参照すると、例えば、４個のＣＳＩ−ＲＳポートに対するＣＳＩ−ＲＳパターン０を構成するＲＥは、８個ＣＳＩ−ＲＳポートに対するＣＳＩ−ＲＳパターン０を構成するＲＥと一致する。ただし、８個のＣＳＩ−ＲＳポートに対するＣＳＩ−ＲＳパターン０のＲＥのうち、ＣＳＩ−ＲＳポート４及び５のＣＳＩ−ＲＳ伝送に用いられるＲＥは、４個のＣＳＩ−ＲＳポートに対するＣＳＩ−ＲＳパターン０ではＣＳＩ−ＲＳポート０及び１のＣＳＩ−ＲＳ伝送に用いられ、８個のＣＳＩ−ＲＳポートに対するＣＳＩ−ＲＳパターン０のＲＥのうち、ＣＳＩ−ＲＳポート６及び７のＣＳＩ−ＲＳ伝送に用いられるＲＥは、４個のＣＳＩ−ＲＳポートに対するＣＳＩ−ＲＳパターン０ではＣＳＩ−ＲＳポート２及び３のＣＳＩ−ＲＳ伝送に用いられる。
【０１０３】
ＢＳは、ＢＳが通信サービスを提供する特定セルのためにＣＳＩ−ＲＳパターンを構成し、構成されたＣＳＩ−ＲＳパターンを指示する情報を、特定セルに位置しているＵＥに伝送することができる。表２を参照すると、一般ＣＰの場合に、ＦＳ−１及びＦＳ−２に共通しているＣＳＩ−ＲＳパターンインデックスは０から１９までの間の値であり、ＦＳ−２のみのためのＣＳＩ−ＲＳパターンインデックスは、２０から３１までの間の値である。表３を参照すると、拡張ＣＰの場合に、ＦＳ−１及びＦＳ−２に共通しているＣＳＩ−ＲＳパターンインデックスは、０から１５までの間の値であり、ＦＳ−２のみのためのＣＳＩ−ＲＳパターンインデックスは、１６から２７までの間の値である。そのため、ＢＳは、５ビットのＣＳＩ−ＲＳパターンインデックス情報をＵＥに伝送することができる。一方、ＣＳＩ−ＲＳパターンはＣＳＩ−ＲＳポートの個数によって変わるので、ＢＳは、ＣＳＩ−ＲＳポートの個数を表す情報をさらに伝送することができる。表２または表３を参照すると、ＢＳは、１個、２個、４個あるいは８個のＣＳＩ−ＲＳポートを構成できる。ＢＳが構成できるＣＳＩ−ＲＳポート個数が総４種類であるから、ＢＳは２ビットを用いてＣＳＩ−ＲＳポート個数情報をＵＥに伝送することができる。例えば、（００）２、（０１）２、（１０）２、（１１）２が１個のＣＳＩ−ＲＳポート、２個のＣＳＩ−ポート、４個のＣＳＩ−ＲＳポート、８個のＣＳＩ−ＲＳを表すものであることが、ＢＳとＵＥであらかじめ定義されていてもよい。
【０１０４】
本発明の実施例に係るＢＳのプロセッサ４００ｂは、ＣＳＩ−ＲＳサブフレーム及びＣＳＩ−ＲＳパターンを構成することができる。ＢＳプロセッサ４００ｂは、構成されたＣＳＩ−ＲＳサブフレームを指示する情報、言い換えると、ＣＳＩ−ＲＳサブフレーム構成情報を生成することができる。ＢＳプロセッサ４００ｂは、ＣＳＩ−ＲＳ伝送周期及びサブフレームオフセット、あるいはＩＣＳＩ−ＲＳをＣＳＩ−ＲＳサブフレーム構成情報として生成できる。ＢＳプロセッサ４００ｂは、ＣＳＩ−ＲＳサブフレーム構成情報を伝送するようにＢＳ送信器１００ｂを制御できる。また、ＢＳプロセッサ４００ｂは、構成されたＣＳＩ−ＲＳパターンを指示する情報、すなわち、ＣＳＩ−ＲＳパターン情報を生成できる。ＢＳプロセッサ４００ｂは、構成されたＣＳＩ−ＲＳパターンに対応するＣＳＩ−ＲＳパターンインデックスをＣＳＩ−ＲＳパターン情報として生成できる。ＢＳプロセッサ４００ｂは、ＣＳＩ−ＲＳパターン情報を伝送するようにＢＳ送信器１００ｂを制御できる。また、ＢＳプロセッサ４００ｂは、ＣＳＩ−ＲＳ伝送のためのアンテナポートの個数、すなわち、ＣＳＩ−ＲＳポートの個数を表す情報をＣＳＩ−ＲＳパターン情報として生成し、ＢＳ送信器１００ｂを制御してＣＳＩ−ＲＳポート個数情報をＵＥに伝送できる。ＢＳプロセッサ４００ｂは、ＣＳＩ−ＲＳサブフレームでＣＳＩ−ＲＳパターンに従ってＣＳＩ−ＲＳを伝送するようにＢＳ送信器１００ｂを制御する。この場合、ＢＳの各ＣＳＩ−ＲＳポートはＣＳＩ−ＲＳパターン内のＣＳＩ−ＲＳポートのためのＣＳＩ−ＲＳ  ＲＥ上でＣＳＩ−ＲＳポートを伝送することとなる。
【０１０５】
与えられたセルのために、一つ以上のＣＳＩ−ＲＳパターンを構成することができる。サービングセルのＢＳ（以下、サービングＢＳ）は、サービングセルのチャネル測定のために一つ以上のＣＳＩ−ＲＳポートを構成し、一ＣＳＩ−ＲＳパターンに従って一つ以上のＣＳＩ−ＲＳポートを通じてＣＳＩ−ＲＳを伝送することができる。例えば、図１６（ａ）を参照すると、サービングＢＳは、８個のＣＳＩ−ＲＳポートを構成し、サービングセルに位置しているＵＥに８個のＣＳＩ−ＲＳポートを通じてＣＳＩ−ＲＳパターン０に従って８種のＣＳＩ−ＲＳシーケンスを伝送することができる。
【０１０６】
一方、サービングセルが強い影響を及ぼしたり、あるいはサービングセルに強い影響を及ぼす隣接セルが存在する場合に、サービングＢＳは、隣接セルがＣＳＩ−ＲＳ伝送に用いるＣＳＩ−ＲＳパターンに属したＲＥ上でダウンリンク信号をミューティングすることができる。例えば、図１６（ａ）を参照すると、ＣＳＩ−ＲＳパターン１、２、３、４をＣＳＩ−ＲＳ伝送に用いる隣接セルが存在する場合に、サービングＢＳのＣＳＩ−ＲＳポートは、ＣＳＩ−ＲＳパターン０に属したＲＥ上ではＣＳＩ−ＲＳを伝送し、ＣＳＩ−ＲＳパターン１、２、３、４に属したＲＥ上では信号を伝送しないことがある。サービングＢＳは、サービングセルの信号がミューティングされるＣＳＩ−ＲＳパターンを示す情報をＵＥに伝送することができる。ただし、サービングセルが及ぼす影響が微小である、または、サービングセルに微小な影響しか及ぼさない隣接セルのみが存在する場合に、ＲＥミューティングのためのＣＳＩ−ＲＳパターンは構成されなくてもよい。
【０１０７】
ＲＥミューティングのためのＣＳＩ−ＲＳパターン（以下、ＲＥミューティングパターン）が構成されるミューティング周期、及びミューティングされるＲＥを含むサブフレームを指示するサブフレームオフセットは、ＣＳＩ−ＲＳ伝送のためのＴＣＳＩ−ＲＳ及び△ＣＳＩ−ＲＳと同一に構成してもよいが、異なるように構成してもよい。例えば、表１を参照すると、ＢＳは、サービングセルのＣＳＩ−ＲＳ伝送のために構成されたＣＳＩ−ＲＳサブフレームを指示するＩＣＳＩ−ＲＳとＲＥミューティングのために構成されたサブフレームを指示するＩＣＳＩ−ＲＳを別々に構成して、ＵＥに伝送することができる。
【０１０８】
本発明の実施例に係るＢＳのプロセッサ４００ｂは、ＲＥミューティングのためのサブフレーム及びＲＥミューティングパターンを構成することができる。ＢＳプロセッサは４００ｂは、構成されたミューティングサブフレームを指示する情報、すなわち、ミューティングサブフレーム構成情報を生成できる。ＢＳプロセッサ４００ｂは、ＲＥミューティング周期及びサブフレームオフセット、あるいはＲＥミューティングのためのＩＣＳＩ−ＲＳをミューティングサブフレーム構成情報として生成できる。ＢＳプロセッサ４００ｂは、ミューティングサブフレーム構成情報を伝送するようにＢＳ送信器１００ｂを制御できる。また、ＢＳプロセッサ４００ｂは、構成されたミューティングパターンを指示する情報、言い換えると、ミューティングパターン情報を生成できる。ＢＳプロセッサ４００ｂは、構成されたミューティングパターンに対応するミューティングパターンインデックスをミューティングパターン情報として生成できる。ＢＳプロセッサ４００ｂは、ミューティングパターン情報を伝送するようにＢＳ送信器１００ｂを制御できる。また、ＢＳプロセッサ４００ｂは、ミューティングサブフレームでミューティングパターンに属したＲＥをミューティングするようにＢＳ送信器１００ｂを制御できる。言い換えると、ＢＳプロセッサ４００ｂは、ミューティングサブフレーム内のミューティングパターンに属したＲＥでは伝送電力が０になるようにＢＳ送信器１００ｂを制御できる。この場合、ＢＳの各送信アンテナ５００ｂは、ミューティングサブフレーム内のミューティングパターンに属したＲＥではゼロ伝送電力で信号を伝送することとなる。
【０１０９】
＜ＣＳＩ−ＲＳ伝送ｖｓ．ＰＳＳ／ＰＢＣＨ／ＳＳＳ伝送＞
所定セルのＣＳＩ−ＲＳポートは、所定セルのＣＳＩ−ＲＳ伝送のために構成されたＣＳＩ−ＲＳサブフレームで全体ダウンリンク周波数帯域にわたって該当のＣＳＩ−ＲＳを伝送する。すなわち、ダウンリンクシステム帯域幅をスパンするＮＤＬＲＢ個のＲＢでＣＳＩ−ＲＳを伝送する。
【０１１０】
ＣＳＩ−ＲＳ伝送のために構成されたサブフレームとＰＳＳ／ＳＳＳ／ＰＢＣＨが伝送されるサブフレームとが異なる場合に、ＢＳは、ＰＳＳ／ＳＳＳ／ＰＢＣＨ伝送に影響を及ぼさないようにしながら、構成されたＣＳＩ−ＲＳをＵＥに伝送することができる。なお、ＵＥは、ＰＳＳ／ＳＳＳ／ＰＢＣＨとＣＳＩ−ＲＳを、異なるサブフレームで相互影響なしで受信することができる。しかし、ＣＳＩ−ＲＳ伝送周期及びサブフレームオフセットによって、ＣＳＩ−ＲＳ伝送のために構成されたサブフレームと、同期信号あるいは放送信号が伝送されるサブフレームとが衝突する場合がある。例えば、図５のように、ＰＳＳ／ＳＳＳ／ＰＢＣＨが伝送される場合に、ＰＢＣＨは毎無線フレームのサブフレーム０で伝送され、ＰＳＳ及びＳＳＳが毎無線フレームのサブフレーム０及びサブフレーム５で伝送される。また、図１３のようにＣＳＩ−ＲＳが伝送される場合に、ＣＳＩ−ＲＳは毎無線フレームのサブフレーム０及びサブフレーム５で伝送される。すなわち、図５のようにＰＢＣＨとＰＳＳ、ＳＳＳが伝送され、図１３のようにＣＳＩ−ＲＳが伝送される場合に、ＣＳＩ−ＲＳ伝送のために構成されたサブフレームでＰＢＣＨ及び／またはＰＳＳ／ＳＳＳも伝送されなければならない。この場合、ＣＳＩ−ＲＳパターンによってＣＳＩ−ＲＳ  ＲＥとＰＢＣＨ／ＰＳＳ／ＳＳＳ  ＲＥとが衝突する場合がある。
【０１１１】
１．実施例１：ＰＳＳ／ＳＳＳ／ＰＢＣＨサブフレームではＣＳＩ−ＲＳを伝送しない
ＰＳＳあるいはＳＳＳ、ＰＢＣＨの伝送のためのサブフレームとＣＳＩ−ＲＳ伝送のためのサブフレームとが衝突する場合に、ＢＳが、衝突するサブフレームではＣＳＩ−ＲＳを伝送しないようにすることができる。本発明の実施例１によって構成されたＢＳのプロセッサ４００ｂは、ＣＳＩ−ＲＳ伝送のために構成されたサブフレームでＣＳＩ−ＲＳの伝送が同期信号あるいは放送信号の伝送と衝突する場合に、該サブフレームでＣＳＩ−ＲＳを伝送するようにＢＳ送信器１００ｂを制御することを行わなくてもよい。すなわち、実施例１によれば、ＣＳＩ−ＲＳサブフレームのうち、ＰＳＳ／ＳＳＳ／ＰＢＣＨが伝送されるサブフレーム（衝突したＣＳＩ−ＲＳサブフレームではいかなるＣＳＩ−ＲＳも伝送されない。ただし、ＣＳＩ−ＲＳ伝送のために構成されたサブフレームが、ＰＳＳ／ＳＳＳ／ＰＢＣＨが伝送されるサブフレームでない場合は、他の理由がない限り、ＢＳプロセッサ４００ｂは、ＣＳＩ−ＲＳサブフレームでＣＳＩ−ＲＳ伝送を行うようにＢＳ送信器１００ｂを制御する。すなわち、他の理由がない限り、各ＣＳＩ−ＲＳポートはＣＳＩ−ＲＳサブフレームで該当のＣＳＩ−ＲＳを伝送する。
【０１１２】
ＢＳは、衝突したＣＳＩ−ＲＳサブフレーム内のＣＳＩ−ＲＳ  ＲＥのうち、ＰＳＳ／ＳＳＳ／ＰＢＣＨ  ＲＥ以外のＲＥでは、ＣＳＩ−ＲＳを伝送する代わりデータ信号を伝送することができる。このために、ＢＳプロセッサ４００ｂは、衝突したＣＳＩ−ＲＳサブフレーム内のＣＳＩ−ＲＳ伝送のためのＲＥのうち、ＰＳＳ／ＳＳＳ／ＰＢＣＨ伝送のためのＲＥと衝突しないＲＥにはデータ信号を割り当てることができる。ＢＳ送信器１００ｂは、ＢＳプロセッサ４００ｂの制御下に、衝突したＣＳＩ−ＲＳサブフレームでは、ＰＳＳ／ＳＳＳ／ＰＢＣＨ  ＲＥと衝突しないＣＳＩ−ＲＳ  ＲＥを通じてデータ信号を伝送する。この場合、ＵＥは、ＣＳＩ−ＲＳサブフレームのうち、ＰＳＳ／ＳＳＳ／ＰＢＣＨの伝送に用いられないサブフレームで、所定セルのＣＳＩ−ＲＳを受信あるいは検出し、該ＣＳＩ−ＲＳを用いて所定セルのチャネルを測定することができる。
【０１１３】
本発明の実施例１によって構成されたＵＥのプロセッサ４００ａは、ＢＳから受信したＣＳＩ−ＲＳサブフレーム構成情報（例えば、ＩＣＳＩ−ＲＳ）を用いて、ＣＳＩ−ＲＳサブフレームがＰＳＳ／ＳＳＳ／ＰＢＣＨサブフレームと衝突するか否かが判断できる。ＵＥプロセッサ４００ａは、ＰＳＳ／ＳＳＳ／ＰＢＣＨサブフレームと衝突しないＣＳＩ−ＲＳサブフレームではＣＳＩ−ＲＳを受信あるいは検出するようにＵＥ受信器３００ａを制御する。ＵＥプロセッサ４００ａは、受信したＣＳＩ−ＲＳを用いてチャネル測定を行うようにＵＥ受信器３００ａを制御できる。ＵＥプロセッサ４００ａは、上記チャネル測定結果に基づいてＣＳＩを生成し、生成されたＣＳＩをＢＳに伝送するようにＵＥ送信器１００ａを制御できる。ただし、ＵＥプロセッサ４００ａは、ＰＳＳ／ＳＳＳ／ＰＢＣＨサブフレームと衝突するＣＳＩ−ＲＳサブフレームでは、ＣＳＩ−ＲＳが伝送されないと仮定する。そのため、ＵＥプロセッサ４００ａは、衝突したＣＳＩ−ＲＳサブフレームではＣＳＩ−ＲＳを受信あるいは検出するようにＵＥ受信器３００ａを制御せず、よって、ＵＥ受信器３００ａは、該ＣＳＩ−ＲＳサブフレームではチャネル測定を行わない。
【０１１４】
一般に、受信端では受信データを正確に復調するために、データ領域内のＲＥのうち、実際のデータＲＥのみを収集するレートマッチングを行う。ＣＳＩ−ＲＳが構成されると、該当のサブフレーム内のＲＥのうち、ＣＳＩ−ＲＳ  ＲＥはレートマッチング過程においてデータＲＥでないものと取り扱われる。実施例１によってＢＳがＣＳＩ−ＲＳを伝送する場合に、ＵＥは、ＣＳＩ−ＲＳサブフレームのうち、ＰＳＳ／ＳＳＳ／ＰＢＣＨが伝送されるサブフレームではＣＳＩ−ＲＳが伝送されないと仮定してデータを復調する。言い換えると、ＵＥは、衝突したサブフレーム内のＣＳＩ−ＲＳ  ＲＥのうち、ＰＳＳ／ＳＳＳ／ＰＢＣＨ  ＲＥ以外のＲＥを、ＲＳ  ＲＥではなくデータＲＥと取り扱ってデータを復調する。ＵＥプロセッサ４００ａは、ＣＳＩ−ＲＳサブフレームで、ＣＳＩ−ＲＳをデータから除外させるレートマッチングを行うように構成される。しかし、ＣＳＩ−ＲＳサブフレームがＰＳＳ／ＳＳＳ／ＰＢＣＨサブフレームでもある場合には、該ＣＳＩ−ＲＳサブフレームではＣＳＩ−ＲＳが伝送されないと判断し、ＣＳＩ−ＲＳによるレートマッチングを行わなくてもよい。
【０１１５】
一方、実施例１によれば、ＣＳＩ−ＲＳサブフレーム構成情報であるＩＣＳＩ−ＲＳを受信したＵＥは、サブフレーム０及びサブフレーム５以外の、８個のサブフレームのうち、下記の式を満たすサブフレームを、ＣＳＩ−ＲＳサブフレームと判断できる。
【０１１６】
【数４】
2013524569.tif 000009
ただし、実施例１によれば、ＣＳＩ−ＲＳが全く伝送されない場合もある。例えば、図５のようにＰＳＳ／ＳＳＳ／ＰＢＣＨが伝送され、図１３のようにＣＳＩ−ＲＳが伝送される場合に、全てのＣＳＩ−ＲＳサブフレームでＰＳＳとＳＳＳ、ＰＢＣＨのうち少なくとも一つが伝送されるようになるので、実施例１によれば、ＣＳＩ−ＲＳが実際に伝送されるサブフレームがなくなる。したがって、本発明の実施例１によってＣＳＩ−ＲＳを伝送する場合に、ＢＳは、ＰＳＳ／ＳＳＳ／ＰＢＣＨサブフレームと重ならないＣＳＩ−ＲＳサブフレームが存在するように、ＣＳＩ−ＲＳ伝送周期及びサブフレームオフセットを構成しなければならない。
【０１１７】
２．実施例２：ＰＳＳ／ＳＳＳ／ＰＢＣＨを含むＲＢではＣＳＩ−ＲＳを伝送しない
ＰＳＳあるいはＳＳＳ、ＰＢＣＨの伝送のためのサブフレームとＣＳＩ−ＲＳ伝送のためのサブフレームとが衝突する場合に、ＢＳが、衝突するサブフレーム内のＲＢのうち、ＰＳＳ／ＳＳＳ／ＰＢＣＨを含むＲＢではＣＳＩ−ＲＳを伝送しないようにすることができる。ＢＳが、衝突したサブフレーム内のＤＣ副搬送波に隣接した６個のＲＢではＣＳＩ−ＲＳを伝送しないようにすることができる。実施例２によって構成されたＢＳのプロセッサ４００ｂは、ＣＳＩ−ＲＳサブフレームがＰＳＳ／ＳＳＳ／ＰＢＣＨサブフレームでもある場合に、該ＣＳＩ−ＲＳサブフレーム内のＰＳＳ／ＳＳＳ／ＰＢＣＨを含まないＲＢでは、ＣＳＩ−ＲＳ伝送を行うようにＢＳ送信器１００ｂを制御し、ＰＳＳ／ＳＳＳ／ＰＢＣＨを含むＲＢではＣＳＩ−ＲＳ伝送を行わないようにＢＳ送信器１００ｂを制御することができる。
【０１１８】
ＢＳは、衝突したサブフレームのＰＳＳ／ＳＳＳ／ＰＢＣＨを含む６個のＲＢ内のＣＳＩ−ＲＳ  ＲＥのうち、ＰＳＳ／ＳＳＳ／ＰＢＣＨ  ＲＥ以外のＲＥではＣＳＩ−ＲＳを伝送する代わりに、データ信号を伝送することができる。このＢＳプロセッサ４００ｂは、ＰＳＳ／ＳＳＳ／ＰＢＣＨを含むＲＢにＣＳＩ−ＲＳ伝送のために構成されたＣＳＩ−ＲＥがある場合に、ＰＳＳ／ＳＳＳ／ＰＢＣＨ  ＲＥでないＣＳＩ−ＲＥではデータ信号を割り当てることができる。ＢＳ送信器１００ｂは、ＢＳプロセッサ４００ｂの制御下に、上記ＲＢ内のＰＳＳ／ＳＳＳ／ＰＢＣＨ  ＲＥでもあるＣＳＩ−ＲＳ  ＲＥではＰＳＳ／ＳＳＳ／ＰＢＣＨを伝送するようにＢＳ送信器１００ｂを制御し、上記ＲＢ内のＰＳＳ／ＳＳＳ／ＰＢＣＨ  ＲＥでないＣＳＩ−ＲＥではデータ信号を伝送するようにＢＳ送信器１００ｂを制御することができる。
【０１１９】
ＵＥは、ＣＳＩ−ＲＳサブフレームで所定セルのＣＳＩ−ＲＳを受信あるいは検出し、該ＣＳＩ−ＲＳを用いて所定セルのチャネルを測定できる。ただし、本発明の実施例２によるＵＥは、衝突したサブフレーム内の周波数帯域のうち、ＰＳＳ／ＳＳＳ／ＰＢＣＨを含む６個ＲＢに該当する周波数帯域ではいかなるＣＳＩ−ＲＳも受信あるいは検出しないようにすることができる。すなわち、本発明の実施例２によるＵＥは、ＰＳＳ／ＳＳＳ／ＰＢＣＨを含むＲＢではチャネルを測定しなくてもよい。また、ＵＥは、ＣＳＩ−ＲＳサブフレームのうち、ＰＳＳ／ＳＳＳ／ＰＢＣＨが伝送されるサブフレームでは、ＰＳＳ／ＳＳＳ／ＰＢＣＨを含むＲＢ上でＣＳＩ−ＲＳが伝送されないと仮定してデータを復調できる。
【０１２０】
本発明の実施例２によって構成されたＵＥのプロセッサ４００ａは、ＢＳから受信したＣＳＩ−ＲＳサブフレーム構成情報（例えば、ＩＣＳＩ−ＲＳ）を用いて、ＣＳＩ−ＲＳサブフレームがＰＳＳ／ＳＳＳ／ＰＢＣＨサブフレームと衝突するか否かが判断できる。ＵＥプロセッサ４００ａは、ＰＳＳ／ＳＳＳ／ＰＢＣＨサブフレームと衝突しないＣＳＩ−ＲＳサブフレームでは、ＣＳＩ−ＲＳを受信あるいは検出するようにＵＥ受信器３００ａを制御する。また、ＵＥプロセッサは、ＣＳＩ−ＲＳサブフレームがＰＳＳ／ＳＳＳ／ＰＢＣＨサブフレームでもある場合に、ＣＳＩ−ＲＳサブフレームのうち、ＰＳＳ／ＳＳＳ／ＰＢＣＨを含まないＲＢでは、ＣＳＩ−ＲＳを受信／検出するようにＵＥ受信器３００ａを制御する。ＵＥプロセッサ４００ａは、衝突したＣＳＩ−ＲＳサブフレームのうち、ＰＳＳ／ＳＳＳ／ＰＢＣＨを含むＲＢでは、該当のセルのＣＳＩ−ＲＳが伝送されないと判断あるいは仮定し、ＣＳＩ−ＲＳを受信または検出するようにＵＥ受信器３００ａを制御する動作を行わなくてもよい。
【０１２１】
ＵＥプロセッサ４００ａは、ＰＳＳ／ＳＳＳ／ＰＢＣＨが伝送されないＣＳＩ−ＲＳサブフレーム、またはＰＳＳ／ＳＳＳ／ＰＢＣＨが伝送されるＣＳＩ−ＲＳサブフレームのうち、ＰＳＳ／ＳＳＳ／ＰＢＣＨを含まないＲＢ上で受信されたＣＳＩ−ＲＳを用いてチャネル測定を行うように、ＵＥ受信器３００ａを制御できる。ＵＥプロセッサ４００ａは、このチャネル測定結果に基づいてＣＳＩを生成し、生成されたＣＳＩをＢＳに伝送するようにＵＥ送信器１００ａを制御できる。ただし、ＵＥプロセッサ４００ａは、ＰＳＳ／ＳＳＳ／ＰＢＣＨサブフレームと衝突するＣＳＩ−ＲＳサブフレームのうち、ＰＳＳ／ＳＳＳ／ＰＢＣＨを含むＲＢではＣＳＩ−ＲＳが伝送されないと仮定する。したがって、ＵＥプロセッサ４００ａは、衝突したＣＳＩ−ＲＳサブフレーム内のＰＳＳ／ＳＳＳ／ＰＢＣＨを含むＲＢではＣＳＩ−ＲＳを受信あるいは検出するようにＵＥ受信器３００ａを制御することを行わなくてもよい。そのため、ＵＥ受信器３００ａは、ＣＳＩ−ＲＳサブフレーム内のＰＳＳ／ＳＳＳ／ＰＢＣＨを含むＲＢではチャネル測定を行わない。
【０１２２】
参考として、ＵＥは、数学式１を満たすサブフレームをＣＳＩ−ＲＳと判断できる。ただし、ＵＥは、ＣＳＩ−ＲＳサブフレームのうちＰＳＳ／ＳＳＳ／ＰＢＣＨを含む６個のＲＢではＣＳＩ−ＲＳが伝送されないと仮定する。
【０１２３】
３．実施例３：ＰＳＳ／ＳＳＳ／ＰＢＣＨ  ＲＥと衝突するＣＳＩ−ＲＳ  ＲＥがあるサブフレームではＣＳＩ−ＲＳを伝送しない
前述した実施例１及び実施例３によれば、ＰＳＳ／ＳＳＳ／ＰＢＣＨサブフレームと衝突するＣＳＩ−ＲＳサブフレームの全体周波数帯域あるいは該ＣＳＩ−ＲＳサブフレームでＰＳＳ／ＳＳＳ／ＰＢＣＨを運ぶ６個のＲＢに該当する周波数帯域では、ＣＳＩ−ＲＳパターンにかかわらずＣＳＩ−ＲＳが伝送されない。しかし、ＣＳＩ−ＲＳサブフレームとＰＳＳ／ＳＳＳ／ＰＢＣＨサブフレームとが衝突しても、ＣＳＩ−ＲＳ  ＲＥとＰＳＳ／ＳＳＳ／ＰＢＣＨ  ＲＥとは衝突しないことがある。
【０１２４】
図１７は、ＣＳＩ−ＲＳが伝送されるリソースブロック対とＰＢＣＨ／ＰＳＳ／ＳＳＳが伝送されるリソースブロック対を例示したものである。特に、図１７（ａ）は、ＦＤＤモードで一般ＣＰを持つように構成されたフレーム構造においてＰＢＣＨ／ＰＳＳ／ＳＳＳを含むリソースブロック対を示し、図１７（ｂ）は、図１５（ｂ）のＣＳＩ−ＲＳパターンを含むリソースブロック対を示す。図１７では、ＣＳＩ−ＲＳが図１３と同様の形態で伝送されると仮定する。
【０１２５】
図１７を参照すると、ＦＤＤモードで動作する所定セルのＢＳは、一般ＣＰを持つサブフレーム０で、ＤＣ副搬送波に隣接した６個のＲＢにわたってＰＢＣＨ、ＰＳＳ、ＳＳＳを伝送する。また、ＢＳは、サブフレーム５でＤＣ副搬送波に隣接した６個のＲＢにわたってＰＳＳとＳＳＳを伝送する。ＢＳは、所定セルのチャネル測定のために８個のＣＳＩ−ＲＳポートを構成し、８個のＣＳＩ−ＲＳポートによるＣＳＩ−ＲＳ伝送のために、図１７（ｂ）のＣＳＩ−ＲＳパターンをサブフレーム０とサブフレーム５で構成できる。サブフレーム０の場合に、ＤＣ副搬送波に隣接した６個のＲＢで、ＰＢＣＨ伝送のためのＲＥと衝突するＣＳＩ−ＲＳ  ＲＥが存在する。しかし、ＰＳＳとＳＳＳが伝送されるサブフレーム５ではＰＳＳ／ＳＳＳ伝送のためのＲＥとＣＳＩ−ＲＳ伝送のためのＲＥとが重なる場合が発生せず、ＰＳＳ／ＳＳＳ／ＰＢＣＨ  ＲＥと衝突するＣＳＩ−ＲＳがない。前述した実施例１では、サブフレーム０及びサブフレーム５でＣＳＩ−ＲＳが伝送されない。また、前述した実施例２によれば、サブフレーム５では全ての周波数帯域にわたってＣＳＩ−ＲＳが伝送されるが、サブフレーム０の場合に、ＤＣ副搬送波に隣接した６個のＲＢに該当する周波数帯域を除外した残りの周波数帯域でのみＣＳＩ−ＲＳが伝送される。本発明の実施例３は、ＰＳＳ／ＳＳＳ／ＰＢＣＨ  ＲＥと衝突するＣＳＩ−ＲＳ  ＲＥが存在するサブフレームでのみ、前述した実施例１または実施例２を適用する。
【０１２６】
図１８は、本発明の実施例３によるＣＳＩ−ＲＳ伝送の流れを示す図である。
【０１２７】
ＢＳが一般ＣＰを持つサブフレームを構成するか、あるいは拡張ＣＰを持つサブフレームを構成するかと、ＢＳがＦＤＤモードで動作するか、あるいはＴＤＤモードで動作するかによって、ＰＢＣＨ、ＰＳＳ、ＳＳＳの伝送に用いられるＲＥが決定されるので、ＢＳと該ＢＳに接続するＵＥはＰＢＣＨ／ＰＳＳ／ＳＳＳ  ＲＥがわかる。また、ＢＳは、ＣＳＩ−ＲＳサブフレームとＣＳＩ−ＲＳパターンを構成し、ＣＳＩ−ＲＳサブフレームとＣＳＩ−ＲＳパターンを指示するＣＳＩ−ＲＳ伝送情報をＵＥに伝送できる（Ｓ１０１０）。例えば、ＢＳは、ＣＳＩ−ＲＳ伝送周期及びサブフレームオフセット（あるいはＩＣＳＩ−ＲＳ）と、ＣＳＩ−ＲＳパターンインデックスをＣＳＩ−ＲＳ伝送情報としてＵＥに伝送できる。また、ＢＳは、ＣＳＩ−ＲＳポートの個数を表す情報をＣＳＩ−ＲＳ伝送情報として伝送できる。該ＣＳＩ−ＲＳ伝送情報に応じてＣＳＩ−ＲＳ伝送を行うことができる（Ｓ１０２０）。ＣＳＩ−ＲＳを伝送するにあたり、本発明の実施例３によるＢＳは、ＰＳＳ／ＳＳＳ／ＰＢＣＨ  ＲＥと衝突するＣＳＩ−ＲＳ  ＲＥが存在するサブフレームでのみ、前述した実施例１または実施例２を適用する。
【０１２８】
（１）実施例３−１
本発明の実施例３は、ＰＳＳ／ＳＳＳ／ＰＢＣＨ  ＲＥと衝突するＣＳＩ−ＲＳ  ＲＥが存在するＣＳＩ−ＲＳサブフレームにのみ本発明の実施例１を適用する（以下、実施例３−１）。本発明の実施例３−１によるＢＳは、ＰＳＳ／ＳＳＳ／ＰＢＣＨ  ＲＥと衝突するＣＳＩ−ＲＳ  ＲＥが存在するＣＳＩ−ＲＳサブフレームではＣＳＩ−ＲＳを伝送せず、ＰＳＳ／ＳＳＳ／ＰＢＣＨ  ＲＥと衝突するＣＳＩ−ＲＳ  ＲＥがないＣＳＩ−ＲＳサブフレームではＣＳＩ−ＲＳを伝送する。本発明の実施例３−１によって構成されたＢＳのプロセッサ４００ｂは、ＰＳＳ／ＳＳＳ／ＰＢＣＨ  ＲＥと衝突するＣＳＩ−ＲＳ  ＲＥが存在するＣＳＩ−ＲＳサブフレームではＣＳＩ−ＲＳを伝送しないようにＢＳ送信器１００ｂを制御する。ＢＳプロセッサ４００ｂは、ＰＳＳ／ＳＳＳ／ＰＢＣＨ  ＲＥと衝突するＣＳＩ−ＲＳ  ＲＥがないＣＳＩ−ＲＳサブフレームでは、他の理由がない限り、ＣＳＩ−ＲＳ伝送を行うようにＢＳ送信器１００ｂを制御する。すなわち、本発明の実施例３−１によれば、ＣＳＩ−ＲＳの伝送が同期信号あるいは放送信号の伝送と衝突するサブフレームでは、いかなるＣＳＩ−ＲＳも伝送されない。複数のＣＳＩ−ＲＳポートが構成され、複数のＣＳＩ−ＲＳが伝送される場合に、１個のＣＳＩ−ＲＳポートに対するＣＳＩ−ＲＳ  ＲＥのみがＰＳＳ／ＳＳＳ／ＰＢＣＨ  ＲＥと衝突しても、ＰＳＳ／ＳＳＳ／ＰＢＣＨが伝送されるＣＳＩ−ＲＳサブフレームでは、全てのＣＳＩ−ＲＳポートがＣＳＩ−ＲＳを伝送しない。
【０１２９】
ＵＥは、ＢＳが伝送したＣＳＩ−ＲＳ伝送情報を受信し、該ＣＳＩ−ＲＳ伝送情報に基づいてＣＳＩ−ＲＳサブフレームと該ＣＳＩ−ＲＳサブフレーム内のＲＥのうち、どのＲＥがＣＳＩ−ＲＳ伝送に用いられるＣＳＩ−ＲＳかがわかる。言い換えると、ＵＥプロセッサ４００ａは、ＣＳＩ−ＲＳ伝送情報に基づいて、ＣＳＩ−ＲＳサブフレームと該ＣＳＩ−ＲＳサブフレーム内のＣＳＩ−ＲＳ  ＲＥを決定できる。本発明の実施例３−１によって構成されたＵＥは、ＣＳＩ−ＲＳサブフレーム内のＣＳＩ−ＲＳ  ＲＥのうち、ＰＳＳ／ＳＳＳ／ＰＢＣＨ  ＲＥと衝突するＲＥが存在する場合に、該当のＣＳＩ−ＲＳサブフレームではＣＳＩ−ＲＳが伝送されないと判断したり見なしたりする。したがって、ＵＥプロセッサ４００ａは、ＰＳＳ／ＳＳＳ／ＰＢＣＨ  ＲＥと衝突するＣＳＩ−ＲＳ  ＲＥが存在するＣＳＩ−ＲＳサブフレームではチャネル測定を行うようにするＵＥ受信器３００ａの制御を行わない。または、ＵＥプロセッサ４００ａは、ＰＳＳ／ＳＳＳ／ＰＢＣＨ  ＲＥと衝突するＣＳＩ−ＲＳ  ＲＥが存在するＣＳＩ−ＲＳサブフレームではチャネル測定を行わないようにＵＥ受信器３００ａを制御する。ただし、ＣＳＩ−ＲＳサブフレーム内のＣＳＩ−ＲＳ  ＲＥのうち、ＰＳＳ／ＳＳＳ／ＰＢＣＨ  ＲＥと衝突するＲＥがない場合に、ＵＥは、該当のＣＳＩ−ＲＳサブフレームで所定セルのＣＳＩ−ＲＳポートが伝送したＣＳＩ−ＲＳを受信あるいは検出し、該ＣＳＩ−ＲＳを用いて所定セルのチャネルを測定する（Ｓ１０３０）。ＵＥプロセッサ４００ａは、ＣＳＩ−ＲＳ  ＲＥのうち、ＰＳＳ／ＳＳＳ／ＰＢＣＨ  ＲＥと衝突するＲＥがないＣＳＩ−ＲＳサブフレームでＣＳＩ−ＲＳを受信／検出してチャネル測定を行うようにＵＥ受信器３００ａを制御できる。
【０１３０】
図１７を参照すると、ＢＳは、サブフレーム０ではＣＳＩ−ＲＳを伝送しないが、サブフレーム５では、構成されたＣＳＩ−ＲＳパターンに従ってＣＳＩ−ＲＳを伝送する。ＵＥは、サブフレーム０ではＣＳＩ−ＲＳを受信しない。ＵＥは、サブフレーム０内のＣＳＩ−ＲＳ  ＲＥで受信した信号が存在しても、該信号を用いたチャネル測定は行わない。ただし、サブフレーム５では、ＰＳＳ／ＳＳＳ／ＰＢＣＨ  ＲＥと衝突するＣＳＩ−ＲＳ  ＲＥがないので、ＵＥはサブフレーム５でＣＳＩ−ＲＳを受信し、該ＣＳＩ−ＲＳを用いてチャネル測定を行うことができる。ＵＥは、チャネル測定結果に基づいてチャネル状態情報（例えば、ＰＭＩ、ＣＱＩ、ＲＩなど）をＢＳに伝送することができる（Ｓ１０４０）。
【０１３１】
ただし、実施例３−１によれば、ＣＳＩ−ＲＳサブフレーム構成及びＣＳＩ−ＲＳパターンによって、ＣＳＩ−ＲＳが全く伝送されない場合もある。そのため、本発明の実施例３−１では、ＢＳは少なくとも、ＰＳＳ／ＳＳＳ／ＰＢＣＨサブフレームと重ならないＣＳＩ−ＲＳサブフレームが存在するようにＣＳＩ−ＲＳ伝送周期及びサブフレームオフセットを構成したり、ＣＳＩ−ＲＳサブフレームでＰＳＳ／ＳＳＳ／ＰＢＣＨ  ＲＥと重なるＣＳＩ−ＲＳ  ＲＥが全く存在しないようにＣＳＩ−ＲＳパターンを構成したりできる。
【０１３２】
（２）実施例３−２
本発明の実施例３は、ＰＳＳ／ＳＳＳ／ＰＢＣＨ  ＲＥと衝突するＣＳＩ−ＲＳ  ＲＥが存在するＣＳＩ−ＲＳサブフレームにのみ本発明の実施例２を適用することもできる（以下、実施例３−２）。本発明の実施例３−２によるＢＳは、ＰＳＳ／ＳＳＳ／ＰＢＣＨ  ＲＥと衝突するＣＳＩ−ＲＳ  ＲＥが存在するＣＳＩ−ＲＳサブフレームでは、ＰＳＳ／ＳＳＳ／ＰＢＣＨを含む６個のＲＢにわたってＣＳＩ−ＲＳを伝送しない。ただし、ＰＳＳ／ＳＳＳ／ＰＢＣＨ  ＲＥと衝突するＣＳＩ−ＲＳ  ＲＥがないＣＳＩ−ＲＳサブフレームでは、ＰＳＳ／ＳＳＳ／ＰＢＣＨを含むＲＢでもＣＳＩ−ＲＳを伝送する。すなわち、本発明の実施例３−２によれば、ＣＳＩ−ＲＳの伝送が同期信号あるいは放送信号の伝送と衝突するＲＢ対では、いかなるＣＳＩ−ＲＳも伝送されない。複数のＣＳＩ−ＲＳポートが構成されて複数のＣＳＩ−ＲＳが伝送される場合に、１個のＣＳＩ−ＲＳポートに対するＣＳＩ−ＲＳ  ＲＥのみがＣＳＩ−ＲＳサブフレームでＰＳＳ／ＳＳＳ／ＰＢＣＨ  ＲＥと衝突しても、該ＣＳＩ−ＲＳサブフレームでＰＳＳ／ＳＳＳ／ＰＢＣＨを含むＲＢでは全てのＣＳＩ−ＲＳポートがＣＳＩ−ＲＳを伝送しない。
【０１３３】
本発明の実施例３−２によって構成されたＢＳのプロセッサ４００ｂは、ＰＳＳ／ＳＳＳ／ＰＢＣＨ  ＲＥと衝突するＣＳＩ−ＲＳ  ＲＥがないＣＳＩ−ＲＳサブフレームでは、全体ダウンリンク周波数帯域にわたってＣＳＩ−ＲＳパターンに従ってＣＳＩ−ＲＳ伝送を行うように、ＢＳ送信器１００ｂを制御し、ＰＳＳ／ＳＳＳ／ＰＢＣＨ  ＲＥと衝突するＣＳＩ−ＲＳ  ＲＥが存在するＣＳＩ−ＲＳサブフレームでは、ＰＳＳ／ＳＳＳ／ＰＢＣＨを含むＲＢに該当する周波数帯域を除外した残りダウンリンク周波数帯域でＣＳＩ−ＲＳ伝送を行うようにＢＳ送信器を制御する。
【０１３４】
ＵＥは、ＢＳが伝送したＣＳＩ−ＲＳ伝送情報を受信し、該ＣＳＩ−ＲＳ伝送情報に基づいて、ＣＳＩ−ＲＳサブフレームと該ＣＳＩ−ＲＳサブフレーム内のＣＳＩ−ＲＳ  ＲＥを決定することができる。言い換えると、ＵＥプロセッサ４００ａは、ＣＳＩ−ＲＳ伝送情報に基づいて、ＣＳＩ−ＲＳサブフレームと該ＣＳＩ−ＲＳサブフレーム内のＣＳＩ−ＲＳ  ＲＥを決定できる。本発明の実施例３−２によって構成されたＵＥは、ＣＳＩ−ＲＳサブフレーム内のＣＳＩ−ＲＳ  ＲＥのうち、ＰＳＳ／ＳＳＳ／ＰＢＣＨ  ＲＥと衝突するＲＥがある場合に、当該ＣＳＩ−ＲＳサブフレームにおいてＰＳＳ／ＳＳＳ／ＰＢＣＨを含むＲＢではＣＳＩ−ＲＳが伝送されないと見なす。したがって、ＵＥは、ＰＳＳ／ＳＳＳ／ＰＢＣＨ  ＲＥと衝突するＣＳＩ−ＲＳ  ＲＥが存在するＲＢではチャネル測定を行わない。ただし、ＣＳＩ−ＲＳサブフレーム内のＣＳＩ−ＲＳ  ＲＥのうち、ＰＳＳ／ＳＳＳ／ＰＢＣＨ  ＲＥと衝突するＲＥがない場合に、ＵＥは、当該ＣＳＩ−ＲＳサブフレームの全体周波数帯域にわたって、所定セルのＣＳＩ−ＲＳポートが伝送したＣＳＩ−ＲＳを受信あるいは検出できる。また、ＣＳＩ−ＲＳを用いて、全体周波数帯域にわたって所定セルのチャネルを測定できる。
【０１３５】
本発明の実施例３−２によって構成されたＵＥのプロセッサ４００ａは、ＣＳＩ−ＲＳサブフレーム内のＣＳＩ−ＲＳ  ＲＥのうち、ＰＳＳ／ＳＳＳ／ＰＢＣＨ  ＲＥと衝突するＲＥがある場合に、当該ＣＳＩ−ＲＳサブフレームにおいてＰＳＳ／ＳＳＳ／ＰＢＣＨを含むＲＢではＣＳＩ−ＲＳが伝送されないと見なす。ＵＥプロセッサ４００ａは、ＰＳＳ／ＳＳＳ／ＰＢＣＨ  ＲＥと衝突するＣＳＩ−ＲＳ  ＲＥが存在するＲＢではチャネル測定を行うようにＵＥ受信器３００ａを制御することを行わない。あるいは、ＵＥプロセッサ４００ａは、ＰＳＳ／ＳＳＳ／ＰＢＣＨ  ＲＥと衝突するＣＳＩ−ＲＳ  ＲＥを持つＲＢではチャネル測定を行わないようにＵＥ受信器３００ａを制御できる。ただし、ＣＳＩ−ＲＳサブフレーム内のＣＳＩ−ＲＳ  ＲＥのうち、ＰＳＳ／ＳＳＳ／ＰＢＣＨ  ＲＥと衝突するＲＥがない場合に、ＵＥプロセッサ４００ａは、当該ＣＳＩ−ＲＳサブフレームの全体周波数帯域にわたって、所定セルのＣＳＩ−ＲＳポートが伝送したＣＳＩ−ＲＳを受信あるいは検出するようにＵＥ受信器３００ａを制御する。また、ＵＥプロセッサ４００ａは、該ＣＳＩ−ＲＳを用いて全体周波数帯域にわたって所定セルのチャネルを測定するようにＵＥ受信器３００ａを制御する。
【０１３６】
図１７を参照すると、サブフレーム０で、ＢＳは、ＰＳＳ／ＳＳＳ／ＰＢＣＨを含むＲＢに該当する周波数帯域以外のダウンリンク周波数帯域ではＣＳＩ−ＲＳを伝送する。反面、サブフレーム５で、ＢＳは、全てのダウンリンク周波数帯域でＣＳＩ−ＲＳを伝送する。ＵＥは、サブフレーム０内のＰＳＳ／ＳＳＳ／ＰＢＣＨを含むＲＢではＣＳＩ−ＲＳ  ＲＥ位置で受信した信号が存在しても、該信号を用いて、チャネル測定を行わない。ただし、サブフレーム５では、ＰＳＳ／ＳＳＳ／ＰＢＣＨ  ＲＥと衝突するＣＳＩ−ＲＳ  ＲＥがないので、ＵＥは、サブフレーム５内の全ての周波数帯域にわたってＣＳＩ−ＲＳを受信し、該ＣＳＩ−ＲＳを用いてチャネル測定を行うことができる。
【０１３７】
本発明のＢＳは、本発明の実施例１、実施例２、実施例３−１、実施例３−２のいずれか一つによって、ＣＳＩ−ＲＳを伝送できる。本発明のＵＥは、本発明の実施例１、実施例２、実施例３−１、実施例３−２のいずれか一つによって、ＣＳＩ−ＲＳを受信し、ＣＳＩ−ＲＳを用いてチャネル測定を行うことができる。また、ＵＥは、チャネル測定結果を用いて、チャネル状態情報をＢＳに伝送できる（Ｓ１０４０）。本発明の実施例１、実施例２、実施例３−１、実施例３−２のいずれか一つによって構成されたＵＥプロセッサ４００ａは、チャネル測定結果を用いてＣＳＩを生成できる。ＵＥプロセッサ４００ａは、生成されたＣＳＩをＢＳに伝送するようにＵＥ送信器１００ａを制御できる。
【０１３８】
前述した実施例１、実施例２、実施例３−１、実施例３−２は、ＣＳＩ−ＲＳの伝送が同期信号の伝送あるいはＰＢＣＨの伝送と衝突するサブフレームでだけでなく、システム情報ブロックタイプ１（ＳＩＢ１）メッセージの伝送と衝突するサブフレームでも適用することができる。また、前述した実施例１、実施例２、実施例３−１、実施例３−２は、ページング（ｐａｇｉｎｇ）メッセージの伝送のために構成されたサブフレームでも適用することができる。例えば、実施例３−１を参照すると、ＳＩＢ１メッセージを運ぶＲＥと衝突するＣＳＩ−ＲＳ  ＲＥが存在するサブフレームではＣＳＩ−ＲＳが伝送されないようにすることができる。
【０１３９】
＜ＲＥミューティングｖｓ．ＰＳＳ／ＰＢＣＨ／ＳＳＳ伝送＞
一方、ＲＥミューティングのためのＣＳＩ−ＲＳパターンが構成された場合に、ＢＳは、ＣＳＩ−ＲＳサブフレーム内の全体周波数領域でＲＥミューティングのためのＣＳＩ−ＲＳパターンに属したＲＥでダウンリンク信号をミューティングすることができる。ＣＳＩ−ＲＳサブフレームとＰＳＳ／ＳＳＳ／ＰＢＣＨサブフレームとが衝突する場合に、ＲＥミューティングのためのＣＳＩ−ＲＳパターンによって、ミューティングされるべきＲＥとＰＳＳ／ＳＳＳ／ＰＢＣＨ伝送のためのＲＥとが衝突する場合がある。上述したように、ＰＳＳ、ＳＳＳ及びＰＢＣＨは、ＵＥが特定セルに進入する上で必須の信号であり、ＵＥがＰＳＳ／ＳＳＳ／ＰＢＣＨを獲得できず、セルの進入に失敗すると、チャネル測定及び／または干渉測定を行うこともできない。
【０１４０】
したがって、本発明のＲＥミューティング実施例は、特定サブフレーム内のＲＥミューティングのためのＣＳＩ−ＲＳパターンに属したＲＥのうち、ＰＳＳあるいはＳＳＳあるいはＰＢＣＨ伝送のためのＲＥと重なるＲＥが存在すると、特定サブフレームではＲＥミューティングが適用されなくてもよい。この場合、ＵＥは、特定サブフレームではＲＥミューティングのためのＣＳＩ−ＲＳパターンが構成されないと見なす。これにより、ＵＥは、特定サブフレーム内のＲＥミューティングのためのＣＳＩ−ＲＳパターンに属したＲＥのうち、ＰＳＳ／ＳＳＳ／ＰＢＣＨの伝送に用いられないＲＥをデータＲＥと見なし、受信データを復調する。ただし、ＲＥミューティングのためのサブフレームとＰＳＳ／ＳＳＳ／ＰＢＣＨが伝送されるサブフレームとが衝突しても、ＲＥミューティングのためのＣＳＩ−ＲＳパターンに属したＲＥのうち、ＰＳＳ／ＳＳＳ／ＰＢＣＨの伝送のためのＲＥと衝突するＲＥがない場合には、ＲＥミューティングが適用される。この場合、ＵＥは、ミューティングされたＲＥをデータＲＥでないと見なして、受信データを復調する。
【０１４１】
本発明のＲＥミューティング実施例によって構成されたＢＳプロセッサ４００ｂは、特定サブフレーム内のＲＥミューティングのためのＣＳＩ−ＲＳパターンに属したＲＥのうち、ＰＳＳあるいはＳＳＳあるいはＰＢＣＨ伝送のためのＲＥと重なるＲＥが存在すると、この特定サブフレームではＲＥミューティングが適用されないようにすることができる。この場合、ＵＥプロセッサ４００ａは、特定サブフレームではＲＥミューティングのためのＣＳＩ−ＲＳパターンが構成されないものと見なす。これにより、ＵＥプロセッサ４００ａは、特定サブフレーム内のＲＥミューティングのためのＣＳＩ−ＲＳパターンに属したＲＥのうち、ＰＳＳ／ＳＳＳ／ＰＢＣＨの伝送に用いられないＲＥをデータＲＥと見なして、受信データを復調できる。
【０１４２】
図１９は、ＲＥミューティングのためのＣＳＩ−ＲＳパターンが構成されたリソースブロック対と、ＰＢＣＨ／ＰＳＳ／ＳＳＳが伝送されるリソースブロック対を示す図である。特に、図１９（ａ）は、ＦＤＤモードで一般ＣＰを持つように構成されたフレーム構造においてＰＢＣＨ／ＰＳＳ／ＳＳＳを含むリソースブロック対を示す。図１９（ｂ）は、図１６（ａ）のＣＳＩ−ＲＳパターンのうち、ＣＳＩ−ＲＳパターン１〜４がＲＥミューティングのために構成された場合を示す。図１９では、ＣＳＩ−ＲＳパターン１〜４に属したＲＥがサブフレーム０及びサブフレーム２でミューティングされると仮定する。
【０１４３】
図１９を参照すると、ＦＤＤモードで動作する所定セルのＢＳは、一般ＣＰを持つサブフレーム０で、ＤＣ副搬送波に隣接した６個のＲＢにわたってＰＢＣＨ、ＰＳＳ及びＳＳＳを伝送する。また、ＢＳは、サブフレーム５で、ＤＣ副搬送波に隣接した６個のＲＢにわたってＰＳＳとＳＳＳを伝送する。ＢＳは、ＲＥミューティングのためにＣＳＩ−ＲＳパターン１〜４をサブフレーム０とサブフレーム５で構成できる。サブフレーム０の場合に、ＤＣ副搬送波に隣接した６個のＲＢにおいて、ＣＳＩ−ＲＳパターン１、２、３に属したＲＥがＰＢＣＨ伝送のためのＲＥと衝突する。しかし、ＰＳＳとＳＳＳが伝送されるサブフレーム５では、ＣＳＩ−ＲＳパターン１、２、３、４に属したＲＥのうち、ＰＳＳ／ＳＳＳ伝送のためのＲＥと衝突するＲＥが存在しない。したがって、本発明のＲＥミューティング実施例によれば、ＢＳは、サブフレーム０ではＲＥミューティングを適用しないが、サブフレーム５ではＲＥミューティングを適用する。ＢＳは、サブフレーム０内のＲＥミューティングのためのＣＳＩ−ＲＳパターン（以下、ＲＥミューティングパターン）上で、ダウンリンク信号をミューティングする代わりに、データ信号を伝送できる。ＢＳは、ＲＥミューティングのためのＲＥミューティング情報をＵＥに提供する。該ＲＥミューティング情報には、ＲＥミューティングパターンを表す情報、ＲＥミューティング周期及びサブフレームオフセット（あるいはＲＥミューティングパターンのＩＣＳＩ−ＲＳ）などがありうる。ＵＥは、ＲＥミューティングが適用されたサブフレーム内のＲＥミューティングパターンに属したＲＥでは伝送電力が０であると仮定する。
【０１４４】
ＵＥは、ＲＥミューティング情報に基づいて、ＲＥミューティングパターンが構成されたサブフレーム（以下、ＲＥミューティングサブフレーム）と、ＲＥミューティングサブフレーム内のＲＥミューティングパターンがわかる。ＵＥは、ＲＥミューティングサブフレーム内のＲＥミューティングパターンに属したＲＥのうち、ＰＳＳ／ＳＳＳ／ＰＢＣＨ  ＲＥと重なるＲＥが存在する場合に、ＲＥミューティングサブフレームではＲＥミューティングが適用されないと仮定する。すなわち、ＵＥは、ＢＳがＲＥミューティングサブフレーム内のＲＥミューティングパターン上で正常にデータ信号を伝送すると仮定する。
【０１４５】
ＵＥは、ミューティングされたＲＥで隣接セルからのチャネルを測定したり、あるいは隣接セルによる干渉を測定したりできる。本発明のＲＥミューティング実施例によれば、ＵＥは、ＲＥミューティングパターンに属したＲＥのうち、ＰＳＳ／ＳＳＳ／ＰＢＣＨ  ＲＥと重なるＲＥが存在しないサブフレームでは、隣接セルのチャネル測定あるいは干渉測定を行うことができる。ただし、ＲＥミューティングパターンに属したＲＥのうち、ＰＳＳ／ＳＳＳ／ＰＢＣＨ  ＲＥと重なるＲＥが存在するサブフレームでは、隣接セルのチャネル測定あるいは干渉測定を行わない。
【０１４６】
本発明のＲＥミューティング実施例は、ミューティングされるＲＥが、同期信号ＲＥあるいはＰＢＣＨ  ＲＥと衝突するサブフレームでだけでなく、システム情報ブロックタイプ１（ＳＩＢ１）メッセージを運ぶＲＥと衝突するサブフレームでも適用することができる。また、本発明のＲＥミューティング実施例は、ページングメッセージの伝送のために構成されたサブフレームでも適用することができる。
【０１４７】
また、本発明のＲＥミューティング実施例は、前述した実施例１、実施例２、実施例３−１、実施例３−２のいずれか一つと共に用いることができる。
【０１４８】
＜ＣＳＩ伝送＞
前述した実施例のいずれか一つによってサービングセルあるいは隣接セルのチャネルを測定したり、隣接セルによる干渉を測定したＵＥは、チャネル測定あるいは干渉測定の結果に基づいてサービングセル及び／または隣接セルのチャネル状態情報（Ｃｈａｎｎｅｌ  Ｓｔａｔｅ  Ｉｎｆｏｒｍａｔｉｏｎ、ＣＳＩ）をＢＳにフィードバックすることができる（Ｓ１０４０）。以下では、ＣＳＩを伝送する本発明の実施例について説明する。
【０１４９】
１．周期的報告構成（ｐｅｒｉｏｄｉｃ  ｒｅｐｏｒｔｉｎｇ  ｃｏｎｆｉｇｕｒａｔｉｏｎ）
ＣＳＩ−ＲＳをチャネル測定あるいは干渉測定のための測定ＲＳ（ｍｅａｓｕｒｅｍｅｎｔ  ＲＳ）に用いる場合に、ＣＳＩ報告周期は、ＣＳＩ−ＲＳ伝送周期ＴＣＳＩ−ＲＳに合わせて構成することが好ましい。例えば、ＣＳＩを周期的に伝送する場合に、ＣＳＩ伝送周期Ｔｆｅｅｄｂａｃｋは下記の式のように構成することができる。
【０１５０】
【数５】
2013524569.tif 000010
数学式５で、αは整数値を持つように構成する。
【０１５１】
また、ＣＳＩを報告する開始サブフレームも特定オフセットを持つように構成することができる。例えば、ＣＳＩ報告のための開始サブフレームが下記の式のようにＣＳＩ−ＲＳサブフレームと関連するように構成することができる。
【０１５２】
【数６】
2013524569.tif 000011
ここで、Ｎｆｅｅｄｂａｃｋは、開始サブフレーム番号を表し、ＮＣＳＩ−ＲＳは、ＣＳＩ−ＲＳが伝送される開始サブフレームを表す。ｋは、正の整数値であり、ｋは、ＣＳＩ−ＲＳを用いたチャネル測定に必要とされるプロセシング時間を考慮して決定することができる。例えば、ｋは４でよい。数学式６を参照すると、ＮＣＳＩ−ＲＳのサブフレーム番号を持つサブフレームで初めてＣＳＩ−ＲＳを受信したＵＥは、該ＣＳＩ−ＲＳを用いて測定したチャネル状態情報の周期的伝送を、サブフレーム番号が（ＮＣＳＩ−ＲＳ＋ｋ）であるサブフレームから始めることができる。
【０１５３】
本実施例によれば、ＵＥとＢＳは、ＣＳＩ−ＲＳに基づくＣＳＩ報告周期及び開始サブフレームを、ＣＳＩ−ＲＳ伝送周期及び開始サブフレームの値から類推できる。
【０１５４】
２．非周期的伝送（ａｐｅｒｉｏｄｉｃ  ｒｅｐｏｒｔｉｎｇ  ｃｏｎｆｉｇｕｒａｔｉｏｎ）
本発明のＵＥは、基地局がＣＳＩ報告を要請すると、特定個数のサブフレーム（例えば、４サブフレームあるいは４  ＴＴＩ）以降にＣＳＩを伝送するＣＳＩの非周期的報告を行うことも可能である。通常、非周期的報告の場合に、ＵＥは、周期的報告と異なる形態でＣＳＩを構成してＢＳにフィードバックする。例えば、ＵＥは、ＰＵＳＣＨを用いてＣＳＩを非周期的にフィードバックすることもあるが、ＰＵＳＣＨは使用可能なリソースがＰＵＣＣＨに比べて多いので、ＰＵＳＣＨを通じたＣＳＩ報告の場合に、ＵＥは、サブバンド別にＣＳＩを構成してＢＳに伝送することができる。すなわち、非周期的にＣＳＩを報告する場合に、ＵＥは、ＰＵＳＣＨを通じて多量のＣＳＩを構成することができる。したがって、ＵＥは、周期的報告のための測定方法と非周期的報告のための測定方法を別々にすることができる。例えば、非周期的報告の場合に、ＵＥは、ダウンリンク周波数帯域に含まれた全てのサブバンドに対してサブバンド別にチャネルを測定し、サブバンド別ＣＳＩをＢＳにフィードバックすることができる。一方、周期的報告の場合に、ＵＥは、ダウンリンク周波数帯域全体でデータ伝送がなされると仮定し、チャネルを測定したり、ダウンリンク周波数帯域内の一部のサブバンド上でデータ伝送がなされると仮定し、該一部のサブバンド上でのみチャネルを測定できる。したがって、非周期的報告をＢＳが要請し、ＵＥが全てのサブバンド別にチャネルを測定する場合に、特定個数のサブフレームの直後にＣＳＩをフィードバックし難い場合もある。
【０１５５】
したがって、本発明の非周期的報告実施例によるＵＥは、ＢＳから非周期的報告要請を受信した後に、受信したＣＳＩ−ＲＳの受信時点からｉ−ＴＴＩ後に、該受信したＣＳＩ−ＲＳに基づくＣＳＩを報告するように定義する。すなわち、本発明の非周期的報告実施例によれば、非周期的ＣＳＩ報告時点が、非周期的報告の要請を受けた時点から計算されるのではなく、上記要請の次にくるＣＳＩ−ＲＳ受信時点から計算される。
【０１５６】
３．非周期的ＰＵＳＣＨ報告ドロップ（ａｐｅｒｉｏｄｉｃ  ＰＵＳＣＨ  ｒｅｐｏｒｔｉｎｇ  ｄｒｏｐｐｉｎｇ）
非周期的報告の場合に、ＢＳが報告を要請すると、ＵＥが当該要請に対する応答としてＣＳＩをフィードバックする。ＣＳＩ−ＲＳは、ＣＲＳとは違い、毎サブフレームごとに伝送されるのではなく、所定の伝送周期ＴＣＳＩ−ＲＳで伝送されるので、ＢＳがＴＣＳＩ−ＲＳよりも短い間隔で連続した要請をＵＥに伝送する場合が生じうる。すなわち、ＵＥが新しいＣＳＩ−ＲＳを受信する前に、ＢＳから非周期的報告の要請を受ける場合が発生しうる。この場合は、ＣＳＩ−ＲＳが更新されなかったので、ＵＥが報告しなければならないＣＳＩ情報は、前の非周期的報告要請に対する応答としてＢＳに報告したＣＳＩと同一になる。同一のＣＳＩを反復して報告することは、アップリンクリソースの浪費である。そのため、本発明の一実施例によるＵＥは、ＢＳから非周期的報告を要請され、その後、ＴＣＳＩ−ＲＳよりも短い時間が経過した時点に新しい非周期的報告を要請された場合に、この新しい非周期的報告を無視することができる。すなわち、ＵＥは、新しい非周期的報告の要請に対する応答をドロップすることができる。
【０１５７】
前述した本発明の実施例によれば、チャネル測定用参照信号を他の物理信号への影響を最小化しながらユーザー機器に伝送することができる。
【０１５８】
また、本発明によれば、チャネル測定用参照信号の伝送効率を上げることができる。
【０１５９】
また、本発明によれば、チャネル測定用参照信号に基づいてユーザー機器により行われるチャネル測定の正確度を高めることができる。
【０１６０】
また、本発明によれば、ユーザー機器がチャネル情報を效率的に基地局にフィードバックすることができる。
【０１６１】
上述したように開示された本発明の好ましい実施例に関する詳細な説明は、当業者が本発明を具現し実施できるように提供された。以上では本発明の好ましい実施例を参照して説明したが、当該技術の分野における熟練した当業者には、添付の特許請求の範囲に記載された本発明の思想及び領域から逸脱しない範囲内で、本発明を様々に修正及び変更できるということが理解されるであろう。したがって、本発明は、ここに開示された実施の形態に制限されるものではなく、ここに開示された原理及び新規な特徴に一致する最も広い範囲を与えるためのものである。
【産業上の利用可能性】
【０１６２】
本発明の実施例を、無線通信システムにおいて、基地局、ユーザー機器、またはその他の装備に用いることができる。
【図１】
2013524569.tif 000012
【図２】
2013524569.tif 000013
【図３】
2013524569.tif 000014
【図４】
2013524569.tif 000015
【図５】
2013524569.tif 000016
【図６】
2013524569.tif 000017
【図７】
2013524569.tif 000018
【図８】
2013524569.tif 000019
【図９】
2013524569.tif 000020
【図１０】
2013524569.tif 000021
【図１１】
2013524569.tif 000022
【図１２】
2013524569.tif 000023
【図１３】
2013524569.tif 000024
【図１４】
2013524569.tif 000025
【図１５】
2013524569.tif 000026
【図１６】
2013524569.tif 000027
【図１７】
2013524569.tif 000028
【図１８】
2013524569.tif 000029
【図１９】
2013524569.tif 000030
【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
無線通信システムにおいてユーザー機器によってチャネル測定のためのチャネル状態情報参照信号（以下、ＣＳＩ−ＲＳと称される）を受信する方法であって、前記方法は、
基地局から前記ＣＳＩ−ＲＳの伝送情報を受信することと、
前記伝送情報に基づいて、前記ＣＳＩ−ＲＳのために構成されたサブフレームのうちの少なくとも一つで前記ＣＳＩ−ＲＳを受信することと
を含み、
前記ユーザー機器は、前記ＣＳＩ−ＲＳのために構成された前記サブフレームの中に、前記ＣＳＩ−ＲＳのうちの一つのＣＳＩ−ＲＳの伝送が同期信号または放送信号の伝送と衝突するサブフレームにおいて、前記ＣＳＩ−ＲＳが伝送されないと仮定する、方法。
【請求項２】
前記伝送情報は、前記ＣＳＩ−ＲＳを伝送するために用いられるアンテナポートの個数を表す情報、リソースブロック内の前記ＣＳＩ−ＲＳの位置を表す情報、並びに前記ＣＳＩ−ＲＳに対する伝送周期及びサブフレームオフセットを表す情報のうちの少なくとも一つを含む、請求項１に記載の方法。
【請求項３】
前記ユーザー機器は、前記ＣＳＩ−ＲＳのうちの一つのＣＳＩ−ＲＳの伝送がシステ情報ブロックタイプ１の伝送と衝突するサブフレームにおいて、前記ＣＳＩ−ＲＳが伝送されないと仮定する、請求項１または２に記載の方法。
【請求項４】
無線通信システムにおいてユーザー機器によってチャネル測定のためのチャネル状態情報参照信号（以下、ＣＳＩ−ＲＳと称される）を受信するユーザー機器であって、前記ユーザー機器は、
基地局から前記ＣＳＩ−ＲＳの伝送情報を受信する受信器と、
前記ＣＳＩ−ＲＳのために構成されたサブフレームのうちの少なくとも一つで前記ＣＳＩ−ＲＳを受信するように前記受信器を制御するように構成されたプロセッサと
を備え、
前記プロセッサは、前記ＣＳＩ−ＲＳのために構成された前記サブフレームの中に、前記ＣＳＩ−ＲＳのうちの一つのＣＳＩ−ＲＳの伝送が同期信号または放送信号の伝送と衝突するサブフレームにおいて、前記ＣＳＩ−ＲＳが伝送されないと仮定するように構成されている、ユーザー機器。
【請求項５】
前記伝送情報は、前記ＣＳＩ−ＲＳを伝送するために用いられるアンテナポートの個数を表す情報、リソースブロック内の前記ＣＳＩ−ＲＳの位置を表す情報、並びに前記ＣＳＩ−ＲＳに対する伝送周期及びサブフレームオフセットを表す情報のうちの少なくとも一つを含む、請求項４に記載のユーザー機器。
【請求項６】
前記プロセッサは、前記ＣＳＩ−ＲＳのうちの一つのＣＳＩ−ＲＳの伝送がシステ情報ブロックタイプ１の伝送と衝突するサブフレームにおいて、前記ＣＳＩ−ＲＳが伝送されないと仮定するように構成されている、請求項４または５に記載のユーザー機器。
【請求項７】
無線通信システムにおいて基地局によるチャネル測定のためのチャネル状態情報参照信号（以下、ＣＳＩ−ＲＳと称される）を基地局によって伝送する方法であって、前記方法は、
ユーザー機器に前記ＣＳＩ−ＲＳの伝送情報を伝送することと、
前記伝送情報に従って、前記ＣＳＩ−ＲＳのために構成されたサブフレームのうちの少なくとも一つで前記ＣＳＩ−ＲＳを伝送することと
を含み、
前記ＣＳＩ−ＲＳのために構成された前記サブフレームの中に、前記ＣＳＩ−ＲＳのうちの一つのＣＳＩ−ＲＳの伝送が同期信号または放送信号の伝送と衝突するサブフレームにおいて、前記ＣＳＩ−ＲＳが伝送されない、方法。
【請求項８】
前記伝送情報は、前記ＣＳＩ−ＲＳを伝送するために用いられるアンテナポートの個数を表す情報、リソースブロック内の前記ＣＳＩ−ＲＳの位置を表す情報、並びに前記ＣＳＩ−ＲＳに対する伝送周期及びサブフレームオフセットを表す情報のうちの少なくとも一つを含む、請求項７に記載の方法。
【請求項９】
無線通信システムにおいてチャネル測定のためのチャネル状態情報参照信号（以下、ＣＳＩ−ＲＳと称される）を伝送する基地局であって、前記基地局は、
送受信器と、
プロセッサと
を備え、
前記プロセッサは、
ユーザー機器に前記ＣＳＩ−ＲＳの伝送情報を伝送するように前記送信器を制御するように構成されており、前記伝送情報に従って、前記ＣＳＩ−ＲＳのために構成されたサブフレームのうちの少なくとも一つで前記ＣＳＩ−ＲＳを伝送するように前記送信器を制御するように構成されており、
前記ＣＳＩ−ＲＳのために構成された前記サブフレームの中に、前記ＣＳＩ−ＲＳのうちの一つのＣＳＩ−ＲＳの伝送が同期信号または放送信号の伝送と衝突するサブフレームにおいて、前記ＣＳＩ−ＲＳが伝送されない、基地局。
【請求項１０】
前記伝送情報は、前記ＣＳＩ−ＲＳを伝送するために用いられるアンテナポートの個数を表す情報、リソースブロック内の前記ＣＳＩ−ＲＳの位置を表す情報、並びに前記ＣＳＩ−ＲＳに対する伝送周期及びサブフレームオフセットを表す情報のうちの少なくとも一つを含む、請求項９に記載の基地局。
【手続補正２】
【補正対象書類名】明細書
【補正対象項目名】００１７
【補正方法】変更
【補正の内容】
【００１７】
上記の課題解決手段は、本発明の実施例の一部に過ぎず、本願発明の技術的特徴が反映された様々な実施例が、当該技術の分野における通常の知識を有する者により、以下に詳述する本発明の詳細な説明から導出及び理解されるであろう。
本発明は、例えば以下の項目を提供する。
（項目１）
無線通信システムにおいてユーザー機器がチャネル測定用参照信号を受信する方法であって、
基地局から前記参照信号の伝送情報を受信し、
前記伝送情報に基づいて、前記参照信号の伝送のために構成されたサブフレームと前記参照信号の伝送に用いられる第１リソース要素を決定し、
前記サブフレームのうち少なくとも一つで前記参照信号を受信すること、を含み、
前記基地局が同期信号あるいは放送信号の伝送に用いる第２リソース要素と衝突する前記第１リソース要素が存在するサブフレームでは前記参照信号を受信しない、
参照信号受信方法。
（項目２）
前記ユーザー機器は、前記第２リソース要素と衝突する前記第１リソース要素がないサブフレームで前記参照信号を受信し、該受信した参照信号に基づいてチャネル測定を行う、項目１に記載の参照信号受信方法。
（項目３）
前記伝送情報は、
前記参照信号の伝送に用いられるアンテナポートの個数を表す情報、前記第１リソース要素のリソースブロック内の位置を表す情報、前記参照信号の伝送周期及びサブフレームオフセットを表す情報のうち少なくとも一つを含む、項目１または２に記載の参照信号受信方法。
（項目４）
無線通信システムにおいてチャネル測定用参照信号を受信するユーザー機器であって、
基地局から前記参照信号の伝送情報を受信する受信器と、
前記受信器を制御するように構成されたプロセッサと、を備え、
前記プロセッサは、
前記伝送情報に基づいて、前記参照信号の伝送のために構成されたサブフレームと前記参照信号の伝送に用いられる第１リソース要素を決定し、
前記サブフレームのうち少なくとも一つで前記参照信号を受信するように前記受信器を制御し、
前記基地局が同期信号あるいは放送信号の伝送に用いる第２リソース要素と衝突する前記第１リソース要素が存在するサブフレームでは前記参照信号が伝送されないと判断する、ように構成された、ユーザー機器。
（項目５）
前記プロセッサは、前記第２リソース要素と衝突する前記第１リソース要素がないサブフレームで前記参照信号を受信するように前記受信器を制御し、前記受信した参照信号に基づいてチャネル測定を行うように構成された、項目４に記載のユーザー機器。
（項目６）
前記伝送情報は、
前記参照信号の伝送に用いられるアンテナポートの個数を表す情報、前記第１リソース要素のリソースブロック内の位置を表す情報、前記参照信号の伝送周期及びサブフレームオフセットを表す情報のうち少なくとも一つを含む、項目４または５に記載のユーザー機器。
（項目７）
無線通信システムにおいて基地局がチャネル測定用参照信号を伝送する方法であって、
ユーザー機器に前記参照信号の伝送情報を伝送し、
前記伝送情報に基づいて、前記参照信号の伝送のために構成されたサブフレームのうち少なくとも一つで前記参照信号を伝送すること、を含み、
同期信号あるいは放送信号の伝送に用いる第２リソース要素と衝突する、前記参照信号の伝送のための第１リソース要素が存在するサブフレームでは、前記参照信号が伝送されない、参照信号伝送方法。
（項目８）
前記伝送情報は、
前記参照信号の伝送に用いられるアンテナポートの個数を表す情報、前記第１リソース要素のリソースブロック内の位置を表す情報、前記参照信号の伝送周期及びサブフレームオフセットを表す情報のうち少なくとも一つを含む、
項目７に記載の参照信号伝送方法。
（項目９）
無線通信システムにおいてチャネル測定用参照信号を伝送する基地局であって、
送信器と、
ユーザー機器に前記参照信号の伝送情報を伝送するように前記送信器を制御し、前記伝送情報に基づいて、前記参照信号の伝送のために構成されたサブフレームのうち少なくとも一つで前記参照信号を伝送するように前記送信器を制御するように構成されたプロセッサと、を備え、
同期信号あるいは放送信号の伝送に使用する第２リソース要素と衝突する、前記参照信号の伝送のための第１リソース要素が存在するサブフレームでは、前記参照信号が伝送されない、基地局。
（項目１０）
前記伝送情報は、
前記参照信号の伝送に用いられるアンテナポートの個数を表す情報、前記第１リソース要素のリソースブロック内の位置を表す情報、前記参照信号の伝送周期及びサブフレームオフセットを表す情報のうち少なくとも一つを含む、項目９に記載の基地局。
【国際調査報告】
2013524569.tif 000031
2013524569.tif 000032